(57)【要約】【課題】スキャン処理の進行度合いに応じて適切なプレビュー情報をユーザに提示する。【解決手段】画像形成装置のＣＰＵは、スキャンが必要な動作モードである場合に（Ｓ１００７０にてＹＥＳ）、原稿セット前には（Ｓ１００８０にてＮＯ）第１のバーチャルモードでプレビューを表示するステップ（Ｓ１０１１０）と、原稿セット後スキャン前には（Ｓ１００８０にてＹＥＳ、Ｓ１０１００にてＮＯ）ダミーデータを用いて第２のバーチャルモードでプレビューを表示するステップ（Ｓ１０１２０）と、スキャン後には（Ｓ１０１００にてＹＥＳ）スキャンデータを用いてスキャンインモードでプレビューを表示するステップ（Ｓ１０１３０）とを含むプログラムを実行する。【選択図】図５
2011164836.tif 000002
【特許請求の範囲】
【請求項１】
制御対象装置に備えられる表示機器であって、
前記制御対象装置に設定された機能により処理が実行された結果であるプレビュー情報を実行前に表示するための表示手段と、
前記制御対象機器における特定の処理が実行される前の第１のプレビュー情報および前記特定の処理が実行された後の第２のプレビュー情報のいずれかを表示するための表示制御手段とを含む、表示機器。
【請求項２】
前記制御対象機器は、光学的機構により原稿を読取って画像データを作成する第１の処理と、前記作成された画像データを処理する第２の処理とを実行し、
前記表示制御手段は、前記第１の処理が実行される前の第１のプレビュー情報および前記第１の処理が実行された後の第２のプレビュー情報のいずれかを表示するための手段を含む、請求項１に記載の表示機器。
【請求項３】
前記制御対象機器は、光学的機構により原稿を読取って画像データを作成する第１の処理と、前記作成された画像データを処理する第２の処理とを実行し、
前記表示制御手段は、前記第１の処理が実行される前の第１のプレビュー情報および前記第１の処理が実行された後の第２のプレビュー情報を表示するとともに、第１のプレビュー情報に対する指示に基づいて表示態様が変更された第２のプレビュー情報を表示するための手段を含む、請求項１に記載の表示機器。
【請求項４】
前記表示制御手段は、前記第１の処理が実行される前の原稿の大きさに基づく第１のプレビュー情報および前記第１の処理が実行された後の画像データに基づく第２のプレビュー情報のいずれかを表示するための手段を含む、請求項２に記載の表示機器。
【請求項５】
前記表示制御手段は、前記光学的機構に原稿がセットされたことに応答して第１のプレビュー情報を表示し、前記光学的機構により原稿が読取られたことに応答して第２のプレビュー情報を表示するための手段を含む、請求項４に記載の表示機器。
【請求項６】
前記第１のプレビュー情報は、前記光学的機構にセットされた原稿の大きさまたは向きに基づく情報である、請求項５に記載の表示機器。
【請求項７】
前記第２のプレビュー情報は、前記画像データを縮小表示したプレビュー情報である、請求項５に記載の表示機器。
【請求項８】
前記第１のプレビュー情報は、前記光学的機構に原稿がセットされる前の情報および前記光学的機構にセットされた原稿の大きさまたは向きについての情報のいずれかの情報に基づく、請求項４に記載の表示機器。
【請求項９】
前記制御対象装置は、前記画像データを用紙に出力する処理をさらに実行し、
前記光学的機構に原稿がセットされる前の情報は、前記用紙についての情報である、請求項８に記載の表示機器。
【請求項１０】
前記表示機器は、前記プレビュー情報を表示しつつ、前記制御対象装置における機能を設定するための設定手段をさらに含み、
前記表示制御手段は、前記設定された機能を反映させたプレビュー情報を表示するための手段を含む、請求項１〜請求項９のいずれかに記載の表示装置。
【請求項１１】
請求項１〜請求項１０のいずれかに記載の表示機器を備えた電子機器。
【請求項１２】
請求項１〜請求項１０のいずれかに記載の表示機器を備えた画像処理装置。
【発明の詳細な説明】
【技術分野】
【０００１】
本発明は、電子機器または画像処理装置の動作モードが変更されることにより画面が切り換えられてもユーザが各動作モードにおいて表示された情報を的確に把握することのできる表示機器に関し、特に、プレビュー情報を表示する場合に、処理の進行状況およびユーザによる要求に応じてプレビュー情報の内容を変更することによりユーザに適切にプレビュー情報を提示することのできる表示機器に関する。また、本発明は、このような表示機器を備えた電子機器および画像処理装置にも関係がある。
【背景技術】
【０００２】
電子機器である画像処理装置の１種として、多くの事業所（会社、事務所等）に、記録用紙に画像を形成する画像形成装置（代表的にはコピー機）が導入されている。このような事業所において、プリンタ機能またはコピー機能等を備えた画像形成装置をネットワークに接続し、これらを複数のユーザで利用（共用）するケースが多くなっている。また、このような画像形成装置の１種である複合機（ＭＦＰ（ＭｕｌｔｉＦｕｎｃｔｉｏｎ  Ｐｅｒｉｐｈｅｒａｌ））は、コピーモード、ファクシミリモード（以下、ファクシミリをＦＡＸまたはファクスと記載する場合がある。）、ネットワーク対応のプリンタモード、およびスキャナモードのように、複数の基本的な動作モードを備える。これらの画像形成装置においては、各々のユーザが、動作モードを選択して、両面印刷、集約（２ページを１枚にする２ｉｎ１、４ページを１枚にする４ｉｎ１）等の機能を設定して、所望の態様で記録用紙に画像を形成している。さらに、これらの複数の機能を適宜に組合せて利用されることも多くなってきている。
【０００３】
このような画像形成装置を利用する場合には、たとえば、ユーザはスキャナモードで画像データを入力して、操作パネルから様々な指示を入力して画像処理（集約等）を行ない、その結果を記録用紙に印刷している。その際、操作部および表示部である操作パネルは、画像形成装置とユーザとのインターフェイスとして機能する。操作パネルには、一般的に、各動作モードにおける機能の設定画面が表示されてユーザが各種の機能を容易に設定できるようになっていたり、ジョブ実行中はジョブの進行状況が表示されてユーザがジョブの進行状況を容易に把握できるようになっていたりする。データを外部機器から受信して実行されるプリンタモードに関しては、送信元の外部機器から受信したデータに応じてジョブの進行状況が表示される場合もある。
【０００４】
このような操作パネルとして、最近では、液晶パネル（表示パネル）にタッチパネルを重ねたタッチパネルディスプレイが用いられることが多くなっている。たとえば、このタッチパネルディスプレイに画像形成装置における動作モードを選択するための項目（ソフトウェアボタン）を表示して、その表示を見たユーザがタッチパネルディスプレイに表示された項目の位置を押圧して（ソフトウェアボタンを押圧して）、動作モードを設定する。
【０００５】
このようなタッチパネルディスプレイは、表示機能と操作機能とを兼用できるため、表示部と操作部とを別々に備えなくてもよい点で優れている。さらに、最近では、ユーザがタッチパネルディスプレイを指で押圧して動かした軌跡によりコマンドを選択できるようにすると、ユーザの感覚に関連してコマンドを選択できる点で優れている点が着目されている。このような軌跡によりコマンドを選択する例として以下のような操作がある。
【０００６】
たとえば、印刷プレビューとして、タッチパネルディスプレイに複数のページが表示されているときに、以下のような操作が行なわれる。あるページがプレビューされた位置で、指で軽く２回叩くユーザの操作（以下においてダブルタップと記載する場合がある。）によりそのページを拡大表示したり縮小表示したりするコマンドを選択したり、２本の指の間を広げるユーザの操作軌跡（以下においてピンチアウトまたはピンチオープンと記載する場合がある。）によりそのページを拡大表示するコマンドを選択したり、２本指の間を縮めるユーザの操作軌跡（以下においてピンチインまたはピンチクローズと記載する場合がある。）によりそのページを縮小表示するコマンドを選択したりできる。なお、以下においては、これらの操作をジェスチャー操作と記載するが、このジェスチャー操作は上述した操作に限定されるものではない。このジェスチャー操作には、タッチパネルディスプレイに表示された項目を指で軽く叩くタップ、項目を指でずらすドラッグ、項目をスクロールするときに指で軽くはらうフリック、２本の指でつまむピンチ等も含まれる。なお、タップおよびダブルタップについては、（他のジェスチャー操作に対して）正確には、タッチパネルディスプレイに対するユーザの操作軌跡を検出するものではないが（軌跡ではなく位置を検出しているものに過ぎない）、本発明においては、他のジェスチャー操作との関係上、タップおよびダブルタップを含めて、ジェスチャー操作とはタッチパネルディスプレイに対するユーザの操作軌跡に基づいて、ユーザの要求を検出する操作であるとする。
【０００７】
さらに、本発明においては、このようなジェスチャー操作以外の操作をタッチ操作と記載する。このタッチ操作は、タッチパネルディスプレイに対するユーザの操作位置に基づいて、ユーザの要求を検出する操作であるとする。このタッチ操作には、代表的には、ユーザがタッチパネルディスプレイに表示された項目の位置を押圧する（ソフトウェアボタンを押圧する）操作がある。
【０００８】
このようなタッチ操作およびジェスチャー操作が可能なタッチパネルディスプレイを操作パネルとして備えたＭＦＰにおいて、たとえば、余白サイズなどの各種画像処理に関する設定、スタンプ押印処理、ステープル処理またはパンチ孔あけ処理等の仕上げ処理をユーザは設定することができる。このような仕上げ機能を設定した印刷処理は、印刷結果を得るまで仕上がり状態をユーザは確認できない。このため、パンチ孔をあける仕上がり処理を設定して実際に印刷してみるとパンチ孔の位置と出力画像とが重なったミスコピーとなり、消耗品（トナーおよび記録用紙）を無駄に使用するという問題が発生し得る。
【０００９】
このような問題を解決するために、特開２００６−３５６８号公報（特許文献１）は、ユーザが印刷を実行する前に仕上がり状態を確認でき、的確で簡略化された設定作業を行なうことができる画像形成装置を開示する。
【００１０】
この画像形成装置は、画像データ処理および印刷仕上げ処理が施された場合の仕上がり予想画面情報を生成する仕上がり情報生成部と、仕上がり情報生成部によって生成された仕上がり予想画面情報に基づいて、操作者による設定入力を受け付ける入力画面情報を生成する入力画面情報生成部と、仕上がり予想画面情報による仕上がり予想、および入力画面情報生成部によって生成された入力画面情報による入力画面を表示する表示部と、表示部に表示された入力画面からの操作者による設定入力を含む設定入力を受け付ける設定部とを備える。
【００１１】
この画像形成装置によると、画像データ処理および印刷仕上げ処理が施された場合の仕上がり予想画面情報を生成し、生成された仕上がり予想画面情報に基づいて、操作者による設定入力を受け付ける入力画面情報を生成し、仕上がり予想画面情報による仕上がり予想、および入力画面情報による入力画面を表示し、表示された入力画面からの操作者による設定入力を含む設定入力を受け付ける。この構成によって、入力した画像データから予想画面情報および操作者が入力可能な設定画面情報を生成し、印刷予想および設定入力画面を表示するので、各種機能の設定作業に先立って、仕上がり予想画面を表示し、かつ複雑なメニュー項目の中から必要な機能の設定項目を選択して表示させ、直感的に分かりやすく、的確で簡素化された設定メニューを提示できるので、設定作業の効率と利便性が高い画像形成装置を提供することができる。
【００１２】
また、特開２００７−１８８０４４号公報（特許文献２）は、大型液晶タッチパネルのプレビュー画面から挿入紙挿入、文書挿入、ページ挿入、ページ削除等の編集設定を行なわせることで、編集設定を容易に行なうことのできる画像処理装置を開示する。
【００１３】
この画像処理装置は、画像データを入力する画像入力部、画像入力部により入力された画像データを記憶する画像記憶部、画像記憶部に記憶された画像データを読み出してプリント出力する画像出力部、画像入力部の入力モードや画像出力部のプリント出力モードなどを設定したり画像記憶部に記憶された画像データを表示することができるタッチパネルを備え、タッチパネルに画像記憶手段に記憶された画像データを表示するプレビュー画面からページ編集指示を行なうページ編集部を有することを特徴とする。
【００１４】
この画像処理装置によると、大型液晶タッチパネルのプレビュー画面から挿入紙挿入、文書挿入、ページ挿入、ページ削除等の編集設定を行わせることで、編集設定を容易に行なうことができる。
【００１５】
さらに、特開２００７−１５０５９７号公報（特許文献３）は、プレビュー表示された画像データに対して施した画像処理を有効とした実画像データを効率的に作成できるようにした画像読取装置を開示する。
【００１６】
この画像読取装置は、複数枚の原稿を連続して搬送する自動原稿搬送装置を搭載した画像読取装置であって、自動原稿搬送装置により搬送された原稿を読み取る原稿読取部と、原稿読取部の読取出力に基づき原稿に対応する実画像データおよびプレビュー画像データを作成する画像データ作成部と、画像データ作成部で作成したプレビュー画像データに基づき原稿に対応するプレビュー画像を表示する表示部とを具備することを特徴とする。
【００１７】
この画像読取装置によると、自動原稿搬送装置を搭載した画像読取装置でユーザによるプレビュー表示の有無を選択可能とし、プレビュー表示を有効とした場合に実画像データとともにプレビュー画像データを同時に作成するようにし、プレビュー表示されたプレビュー画像データに対する画像処理を受け付け、その画像処理内容を反映した実画像データを作成するようにしたので、所望する実画像データを効率的に作成できる。
【先行技術文献】
【特許文献】
【００１８】
【特許文献１】特開２００６−３５６８号公報
【特許文献２】特開２００６−１８８０４４号公報
【特許文献３】特開２００７−１５０５９７号公報
【発明の概要】
【発明が解決しようとする課題】
【００１９】
画像形成装置および画像処理装置を始めとして種々の電子機器においては、表示機器としてタッチパネルディスプレイを備える。このようなタッチパネルディスプレイには、上述した特許文献に開示されたように、様々な情報が表示される。このような電子機器の１つである画像形成装置においては、複数の機能モードまたは処理機能（動作モード）を備える。この動作モードをユーザが選択すると、タッチパネルディスプレイには、選択された動作モードの初期画面が表示される。上述した特許文献には、動作モードの１つであるコピーモードの画面において、画像処理後であって印刷実行前のプレビューが表示される。ユーザはこのプレビューを見ながら編集機能を設定する。
【００２０】
しかしながら、実画像データを用いてプレビュー表示するためには、原稿をスキャンし終えている必要があり、スキャン前には実画像データを用いたプレビュー表示することはできない。実画像データを用いたプレビュー表示は、実際の仕上がりに最も近い状態を表示できる点で好ましいが、ユーザはその原稿の重要度合いによっては実際の仕上がりに最も近い状態を表示する必要がないと考える場合もある。そのような場合においても、常に実画像データを用いたプレビュー表示することの意味は低い。
【００２１】
このような問題に対して、特許文献１には、大きさが固定された提示領域にプレビュー情報として仕上がり予想情報を提示する画像形成装置が開示されているに過ぎず、特許文献２には、プレビュー画面から挿入紙設定またはページ削除、文書挿入の設定画面に直接遷移する画像処理装置が開示されているに過ぎず、特許文献３には、スキャン後に実画像データとプレビュー画像データとを同時に作成することが開示されているに過ぎない。このため、スキャン処理の進行度合い（スキャン前は実画像データを用いたプレビューを表示できない）または／および原稿の重要度合いに鑑みて、最も適切なプレビューを表示することができないため、ユーザが必要とするプレビュー情報を伝達できないという問題点は解決できない。
【００２２】
従って、本発明は、電子機器および画像処理装置（画像形成装置）に設定された機能に基づいて行なわれた処理結果を処理前にプレビュー表示する場合において、ユーザが求めるプレビュー情報を、ユーザに的確に伝達することのできる技術を提供することを目的とする。
【課題を解決するための手段】
【００２３】
本発明のある局面に係る表示機器は、制御対象装置に備えられる。この表示機器は、制御対象装置に設定された機能により処理が実行された結果であるプレビュー情報を実行前に表示するための表示手段と、制御対象機器における特定の処理が実行される前の第１のプレビュー情報および特定の処理が実行された後の第２のプレビュー情報のいずれかを表示するための表示制御手段とを含む。
【００２４】
制御対象機器が複数の処理から構成される処理を実行する場合において、特定の処理が実行される前の第１のプレビュー情報および特定の処理が実行された後の第２のプレビュー情報のいずれかが、処理の進行度合いに応じて表示される。このため、制御対象装置における処理の進行度合いに応じたプレビュー情報をユーザに伝達することができる。
【００２５】
制御対象機器は、光学的機構により原稿を読取って画像データを作成する第１の処理と、作成された画像データを処理する第２の処理とを実行するように構成することができる。この場合において、表示制御手段は、第１の処理が実行される前の第１のプレビュー情報および第１の処理が実行された後の第２のプレビュー情報のいずれかを表示するための手段を含むように構成することができる。
【００２６】
光学的機構により原稿を読取って画像データを作成する第１の処理（スキャン処理）が実行されるまでは第１のプレビュー情報を表示して、第１の処理が実行されるとそのスキャン処理の結果を用いた第１のプレビュー情報を表示することができる。このため、制御対象装置におけるスキャン処理の進行度合いに応じたプレビュー情報をユーザに伝達することができる。
【００２７】
制御対象機器は、光学的機構により原稿を読取って画像データを作成する第１の処理と、作成された画像データを処理する第２の処理とを実行するように構成することができる。この場合において、表示制御手段は、第１の処理が実行される前の第１のプレビュー情報および第１の処理が実行された後の第２のプレビュー情報を表示するとともに、第１のプレビュー情報に対する指示に基づいて表示態様が変更された第２のプレビュー情報を表示するための手段を含むように構成することができる。
【００２８】
ユーザが第１のプレビュー情報を見ながら行なった指示（機能の設定）が反映されて表示態様が変更された第２のプレビュー情報が表示される。指示が反映されるので、第２のプレビュー情報に対して再度指示することなく、第２の処理の実行前に、指示した結果を確認することができる。
【００２９】
表示制御手段は、第１の処理が実行される前の原稿の大きさに基づく第１のプレビュー情報および第１の処理が実行された後の画像データに基づく第２のプレビュー情報のいずれかを表示するための手段を含むように構成することができる。
【００３０】
第１の処理が実行される前でも原稿の大きさを検出して原稿の大きさに基づく第１のプレビューを表示して、第１の処理が実行されるとそのスキャン処理の結果を用いた第２のプレビュー情報を表示することができる。
【００３１】
表示制御手段は、光学的機構に原稿がセットされたことに応答して原稿の大きさを検出して原稿の大きさに基づく第１のプレビュー情報を表示し、光学的機構により原稿が読取られたことに応答してスキャン処理の結果を用いた第２のプレビュー情報を表示するための手段を含むように構成することができる。
【００３２】
ユーザが光学的機構に原稿をセットすると原稿の大きさに基づく第１のプレビュー情報が自動的に表示されるので、ユーザはプレビュー情報を見て原稿がセットされたことを確認できる。また、光学的機構により原稿がスキャンされると原稿の画像データに基づく第２のプレビュー情報が自動的に表示されるので、ユーザはプレビュー情報を見て実際の仕上がり状態を確認することができる。
【００３３】
第１のプレビュー情報は、光学的機構にセットされた原稿の大きさまたは向きに基づく情報であるように構成することができる。また、第２のプレビュー情報は、画像データを縮小表示したプレビュー情報であるように構成することができる。
【００３４】
第１の処理前でも光学的機構により検出された原稿の大きさに基づく第１のプレビューを表示して、第１の処理が実行されるとそのスキャン処理の結果である画像データを縮小した第２のプレビュー情報を表示することができる。
【００３５】
第１のプレビュー情報は、光学的機構に原稿がセットされる前の情報および光学的機構にセットされた原稿の大きさまたは向きについての情報のいずれかの情報に基づくように構成することができる。
【００３６】
スキャン処理される前であって、光学的機構に原稿がセットされる前後で異なるプレビュー情報を表示することができる。
【００３７】
制御対象装置は、画像データを用紙に出力する処理をさらに実行するように構成することができる。この場合において、光学的機構に原稿がセットされる前の情報は、用紙についての情報であるように構成することができる。
【００３８】
スキャン処理される前であって、光学的機構に原稿がセットされる前に、画像データを出力する用紙についての情報（選択されている用紙の種類についての情報）を表示することができる。
【００３９】
表示機器は、プレビュー情報を表示しつつ、制御対象装置における機能を設定するための設定手段をさらに含むように構成することができる。この場合において、表示制御手段は、設定された機能を反映させたプレビュー情報を表示するための手段を含むように構成することができる。
【００４０】
ユーザがプレビュー情報を見ながら、機能を設定すると、プレビュー情報に設定された機能が反映させるので、処理の実行前にプレビューで機能を設定した結果を確認することができる。
【００４１】
本発明の別の局面に係る電子機器は、上述した表示機器を備え、本発明のさらに別の局面に係る画像処理装置は、上述した表示機器を備える。
【００４２】
この電子機器および画像処理装置によると、これらの装置が複数の処理から構成される処理を実行する場合において、特定の処理が実行される前の第１のプレビュー情報および特定の処理が実行された後の第２のプレビュー情報のいずれかが、処理の進行度合いに応じて表示される。このため、電子機器および画像処理装置における処理の進行度合いに応じたプレビュー情報をユーザに伝達することができる。
【発明の効果】
【００４３】
本発明によると、電子機器および画像処理装置（画像形成装置）に設定された機能に基づいて行なわれた処理結果を処理前にプレビュー表示する場合において、ユーザが求めるプレビュー情報を、ユーザに的確に伝達することができる。
【図面の簡単な説明】
【００４４】
【図１】本発明の実施の形態に係る画像形成装置の外観を示す斜視図である。
【図２】図１に示す画像形成装置の内部構成を簡略化して示す図である。
【図３】図１に示す画像形成装置のハードウェア構成を示す機能ブロック図である。
【図４】図１に示す画像形成装置のタッチパネルディスプレイの表示領域を示す図である。
【図５】本発明の実施の形態に係る画像形成装置において実行されるプログラムの制御構造を示すフローチャートである。
【図６】本発明の実施の形態に係る画像形成装置のタッチパネルディスプレイに表示されるホーム画面を示す図である。
【図７】本発明の実施の形態に係る画像形成装置のタッチパネルディスプレイに表示される、レギュラーモードで表示されたコピーモード初期画面を示す図である。
【図８】本発明の実施の形態に係る画像形成装置のタッチパネルディスプレイに表示される、レギュラーモードで表示されたメールモード初期画面を示す図である。
【図９】本発明の実施の形態に係る画像形成装置のタッチパネルディスプレイに表示される、レギュラーモードで表示されたＦＡＸモード初期画面を示す図である。
【図１０】本発明の実施の形態に係る画像形成装置のタッチパネルディスプレイに表示される、レギュラーモードで表示されたドキュメントファイリングモード初期画面を示す図である。
【図１１】本発明の実施の形態に係る画像形成装置のタッチパネルディスプレイに表示される、第１のバーチャルモードで表示されたコピーモード初期画面（機能選択前）を示す図である。
【図１２】本発明の実施の形態に係る画像形成装置のタッチパネルディスプレイに表示される、第１のバーチャルモードで表示されたコピーモード初期画面（機能選択後）を示す図である。
【図１３】本発明の実施の形態に係る画像形成装置のタッチパネルディスプレイに表示される、第２のバーチャルモードで表示されたコピーモード初期画面（機能選択前）を示す図である。
【図１４】本発明の実施の形態に係る画像形成装置のタッチパネルディスプレイに表示される、第２のバーチャルモードで表示されたコピーモード初期画面（機能選択後その１）を示す図である。
【図１５】本発明の実施の形態に係る画像形成装置のタッチパネルディスプレイに表示される、第２のバーチャルモードで表示されたコピーモード初期画面（機能選択後その２）を示す図である。
【図１６】本発明の実施の形態に係る画像形成装置のタッチパネルディスプレイに表示される、第２のバーチャルモードで表示されたコピーモード初期画面（機能選択後その３）を示す図である。
【図１７】本発明の実施の形態に係る画像形成装置のタッチパネルディスプレイに表示される、第２のバーチャルモードで表示されたコピーモード初期画面（書籍読取、機能選択前）を示す図である。
【図１８】本発明の実施の形態に係る画像形成装置のタッチパネルディスプレイに表示される、第２のバーチャルモードで表示されたコピーモード初期画面（書籍読取、機能選択後）を示す図である。
【図１９】本発明の実施の形態に係る画像形成装置のタッチパネルディスプレイに表示される、スキャンインモードで表示されたコピーモード初期画面（機能選択前）を示す図である。
【図２０】本発明の実施の形態に係る画像形成装置のタッチパネルディスプレイに表示される、スキャンインモードで表示されたコピーモード初期画面（機能選択後）を示す図である。
【発明を実施するための形態】
【００４５】
以下の実施の形態では、同一の部品には同一の参照番号を付してある。それらの機能および名称も同一である。従って、それらについての詳細な説明は繰返さない。
【００４６】
本発明の実施の形態に係る電子機器は、画像処理装置の１種である画像形成装置である。本発明に係る表示機器の適用は、このような画像形成装置以外の画像処理装置または電子機器であっても構わない。本実施の形態に係る電子機器は、複数の動作モードを備え、その動作モードの少なくとも１つの動作モードにおいて、プレビュー情報（後述するプレビュー領域３０００に表示される情報）がタッチパネルディスプレイに表示される場合において、スキャンの進行状況または／および原稿の重要度合いに応じて、プレビュー情報をユーザに適切に伝達することができるように、２以上のプレビュー表示モードを有する表示機器を備えた装置でありさえすればよい。なお、以下においては、プレビュー表示モードは、原稿セット前の第１のバーチャルモード、原稿セット後スキャン前の第２のバーチャルモード、スキャン後のスキャンインモードの３つがあるものとして説明する。
【００４７】
なお、本実施の形態に係る画像形成装置１００は、ジェスチャー操作方法とジェスチャー操作によらないタッチ操作方法とにより操作が可能なタッチパネルディスプレイを備えるとするが、タッチ操作のみが可能なタッチパネルディスプレイを備える装置であってもよく、さらには、操作が不可能な表示のみ可能な表示パネルおよび操作用のボタンを備える装置であってもよい。
【００４８】
この画像形成装置は、電子写真方式により記録用紙に画像を形成する。この画像形成装置は、動作モードとして、コピーモード、ＦＡＸモード、ドキュメントファイリングモード（スキャンした画像を画像形成装置内部の記憶装置に記憶するモード）およびメールモード（スキャンした画像を電子メールに添付する形式で送信するモード）を備える。なお、この画像形成装置は、さらにネットワークプリンタモードを備えていても構わない。しかしながら、本発明はこれに限定されず、コピーモード、ＦＡＸモード、ドキュメントファイリングモードおよびメールモードの４つの動作モードの中の１つ以上の動作モードを備えた画像形成装置であって、少なくとも１つの動作モードにおいて２以上の表示モードでプレビュー情報をタッチパネルディスプレイに表示する画像形成装置であれば構わない。また、印刷方式は電子写真方式に限定されない。
【００４９】
［画像形成装置：機能］
図１〜図３を参照して、本発明の実施の形態に係る画像形成装置１００について説明する。図１は、画像形成装置１００の外観構成を示す図である。図２は、画像形成装置１００の内部構成を簡略化して示す図である。図３は、画像形成装置１００の機能ブロック図である。
【００５０】
これらの図１〜図３を参照して、画像形成装置１００は、原稿読取部１０２、画像形成部１０４、給紙部１０６、排紙処理装置１０８、および操作ユニット１２０を備える。操作ユニット１２０は、タッチパネルディスプレイ１３０と表示操作部１４０とで構成される。タッチパネルディスプレイ１３０は、液晶パネル等で構成された表示パネル１３２と、表示パネル１３２に重ねて配置されたユーザの指で押圧された位置を検出するタッチパネル１３４とで構成される。表示操作部１４０は、表示灯１４２と、電源キー１４４と、省エネルギキー（以下「省エネキー」と記載）１４６と、動作モードを選択するホーム画面へタッチパネルディスプレイ１３０の表示画面を戻すためのホームキー１４８とで構成される。
【００５１】
このように本実施の形態に係る画像形成装置１００は、主たる操作デバイスとしてタッチパネルディスプレイ１３０を備えるとともに、ハードウェアキーおよび表示灯により構成される表示操作部１４０を備える。表示操作部１４０のキー（電源キー１４４、省エネキー１４６、ホームキー１４８）は、タッチパネルディスプレイ１３０により構成されるソフトウェアボタンと対比して、ハードウェアボタンとして構成される点が特徴である。なお、画像形成装置１００は、このような構成の表示操作部１４０を備えるものに限定されず、タッチパネルディスプレイ１３０のみを備えるものであってもよい。タッチパネルディスプレイ１３０に表示されたホーム画面においてユーザが動作モードを選択すると、選択された動作モードにおける初期画面に切り換わるものであれば構わない。このような画像形成装置１００の動作モードについて説明する。
【００５２】
−コピーモード−
以下において、コピーモードでの動作説明を行なう。このコピーモードにおいては、主として、原稿読取部（以下、スキャナ部と記載する場合がある。）１０２および画像形成部１０４が動作する。
【００５３】
画像形成装置１００においては、原稿載置台に置かれた原稿が原稿読取部１０２により画像データとして読取られ、読取られた画像データが図３に示すマイクロコンピュータ等から構成されるＣＰＵ３００に入力され、ここで画像データに各種の画像処理が施され、この画像データが画像形成部１０４へと出力される。
【００５４】
画像形成部１０４は、画像データによって示される原稿の画像を記録媒体（多くの場合、記録用紙）に印刷するものであって、感光体ドラム２２２、帯電装置２２４、レーザスキャンユニット（以下、「ＬＳＵ」と称する。）２２６、現像装置２２８、転写装置２３０、クリーニング装置２３２、定着装置２３４、および図示しない除電装置等を備えている。
【００５５】
画像形成部１０４には、主搬送路２３６および反転搬送路２３８が設けられており、給紙部１０６から給紙されてきた記録用紙が主搬送路２３６に沿って搬送される。給紙部１０６は、用紙カセット２４０に収納された記録用紙、または手差トレイ２４２に載置された記録用紙を１枚ずつ引出して記録用紙を画像形成部１０４の主搬送路２３６へと送り出す。
【００５６】
画像形成部１０４の主搬送路２３６に沿って記録用紙が搬送されている途中で、記録用紙が感光体ドラム２２２と転写装置２３０との間を通過し、さらに定着装置２３４を通過して、記録用紙に対する印刷が行なわれる。
【００５７】
感光体ドラム２２２は、一方向に回転し、その表面は、クリーニング装置２３２と除電装置によりクリーニングされた後、帯電装置２２４により均一に帯電される。
【００５８】
ＬＳＵ２２６は、印刷対象の画像データに基づいてレーザ光を変調し、このレーザ光によって感光体ドラム２２２の表面を主走査方向に繰返し走査して、静電潜像を感光体ドラム２２２の表面に形成する。
【００５９】
現像装置２２８は、トナーを感光体ドラム２２２の表面に供給して静電潜像を現像し、トナー像を感光体ドラム２２２の表面に形成する。
【００６０】
転写装置２３０は、当該転写装置２３０と感光体ドラム２２２との間を通過していく記録用紙に感光体ドラム２２２の表面のトナー像を転写する。
【００６１】
定着装置２３４は、記録用紙を加熱するための加熱ローラ２４８と、記録用紙を加圧するための加圧ローラ２５０とを含む。記録用紙は、加熱ローラ２４８によって加熱され、かつ、加圧ローラ２５０によって加圧されることによって、記録用紙上に転写されたトナー像が記録用紙に定着される。この定着装置２３４へ供給される電力によりヒータを温めて加熱ローラ２４８の温度が定着に適した温度になるように制御されている。なお、省エネモードに移行すると、たとえば、このヒータへ供給される電力が停止されたり削減されたりする。
【００６２】
主搬送路２３６と反転搬送路２３８との接続位置には、分岐爪２４４が配設されている。記録用紙の片面のみに印刷が行なわれる場合は、分岐爪２４４が位置決めされ、この分岐爪２４４により定着装置２３４からの記録用紙が排紙トレイ２４６または排紙処理装置１０８の方へと導かれる。
【００６３】
記録用紙の両面に印刷が行なわれる場合は、分岐爪２４４が所定方向に回動されて記録用紙が反転搬送路２３８の方へと導かれる。記録用紙は、反転搬送路２３８を通過して、その表裏を反転されて主搬送路２３６へと再び搬送され、主搬送路２３６の再度の搬送途中で、その裏面への印刷が行なわれて排紙トレイ２４６または排紙処理装置１０８の方へと導かれる。
【００６４】
上述のようにして印刷された記録用紙は、排紙トレイ２４６または排紙処理装置１０８の方へと導かれて排紙トレイ２４６に排出され、または排紙処理装置１０８の各排紙トレイ１１０のいずれかに排出される。
【００６５】
排紙処理装置１０８では、複数の記録用紙を各排紙トレイ１１０に仕分けして排出する処理、各記録用紙にパンチングする処理、および各記録用紙にステープルする処理を施す。たとえば、複数部の印刷物を作成する場合は、各排紙トレイ１１０に印刷物の一部ずつが割り当てられるように、各記録用紙を各排紙トレイ１１０に仕分けして排出し、排紙トレイ１１０毎に、排紙トレイ１１０上の各記録用紙にパンチング処理またはステープル処理を施して印刷物を作成する。
【００６６】
−ファクシミリモード−
以下において、ファクシミリモードでの動作説明を行なう。このファクシミリモードにおいては、主として、送信動作は原稿読取部（スキャナ部）１０２およびＦＡＸ通信部１６０が動作することにより、受信動作はＦＡＸ通信部１６０および画像形成部１０４が動作する。
【００６７】
・送信動作
画像形成装置１００においては、ファクシミリモードを指定して、原稿載置台に置かれた原稿が原稿読取部１０２により画像データとして読取られ、読取られた画像データが図３に示すマイクロコンピュータ等から構成されるＣＰＵ３００に入力され、ここで画像データに各種の画像処理が施され、この画像データがＦＡＸ通信部（図３のＦＡＸ通信部１６０）へと出力される。
【００６８】
送信側の画像形成装置１００のＦＡＸ通信部１６０は、指定された送信側の回線を指定された送信先に接続して、画像データをファクシミリ通信規格に合致した通信データへ変換して、受信側のファクシミリ装置（たとえばファクシミリ機能を備えた画像形成装置１００）へ送信する。
【００６９】
・通信動作
回線が接続されると、受信側の画像形成装置１００のＦＡＸ通信部１６０は、送信側の画像形成装置１００のＦＡＸ通信部１６０からの通信要求信号を検出して、応答信号を送信する。その後、たとえば、ＦＡＸ通信部１６０は、送信側および受信側で互いに実装されている能力情報の受渡しを行ない利用可能な最大能力での通信速度および画像データの符号化・符号訂正方式などを決定してモデムの通信方式を設定する。この通信方式にあわせた画像信号形式を用いて、送信側の画像形成装置１００のＦＡＸ通信部１６０から受信側の画像形成装置１００のＦＡＸ通信部１６０へデータを送信する。送信が終了すると回線が切断される。
【００７０】
・受信動作
受信側の画像形成装置１００のＦＡＸ通信部１６０は、受信したデータを画像データに変換して、画像形成部１０４へ送る。なお、受信したデータを画像データへ変換するのは画像形成部１０４であっても構わない。画像形成部１０４は、上述したコピーモードにおける動作と同じように、受信したデータから変換された画像データによって示される原稿の画像を記録用紙に印刷する。
【００７１】
−ドキュメントファイリングモード−
以下において、ドキュメントファイリングモードでの動作説明を行なう。このドキュメントファイリングモードにおいては、主として、原稿読取部（スキャナ部）１０２および画像形成部１０４が動作する。
【００７２】
画像形成装置１００においては、原稿載置台に置かれた原稿が原稿読取部１０２により画像データとして読取られ、読取られた画像データがＣＰＵ３００に入力され、ここで画像データに各種の画像処理が施される。この画像データが、この画像形成装置１００が備える記憶装置（後述するハードディスク３０２）に記憶される。
【００７３】
記憶された画像データは、ユーザによりファイル名が指定されて、ハードディスクから読出されて、上述したコピーモードと同じ動作で記録用紙に印刷される。
【００７４】
−メールモード（スキャンｔｏメール）−
以下において、メールモードでの動作説明を行なう。このメールモードにおいては、主として、原稿読取部（スキャナ部）１０２およびネットワークインターフェイス３０４が動作する。
【００７５】
なお、このＭＦＰ３００が備える画像通信モードとして、ＦＡＸ通信部１６０を介して画像データを公衆回線により送受信する上述したファクシミリモード、および、ネットワークインターフェイス３０４を介して画像データを電子メールに添付する形式でインターネット回線により送受信する電子メール通信モード（メールモード）がある。このほかに、ネットワークインターフェイス３０４を介して画像データをインターネット回線により送受信するインターネットファクシミリモード、または、ネットワーク回線を用いて画像データを特定のパーソナルコンピュータ（ＰＣ）のフォルダに転送する画像転送モード（スキャンｔｏＰＣフォルダ）等を備えていても構わない。
【００７６】
画像形成装置１００においては、原稿載置台に置かれた原稿が原稿読取部１０２により画像データとして読取られ、読取られた画像データがＣＰＵ３００に入力され、ここで画像データに各種画像処理が施される。この画像データが電子メールに添付されて送信される。
【００７７】
ファクシミリモードでは、送信先の電話番号が指定されるのに対して、メールモードでは、送信先のメールアドレスが指定される点が異なる。
【００７８】
［画像形成装置：制御ブロック構成］
図３を参照して、画像形成装置１００はさらに、コピーモード、ファクシミリモード、ドキュメントファイリングモード、およびメールモードに関する機能の設定が可能な操作ユニット１２０と、プログラム等を記憶するためのＲＯＭ３０６と、通電が遮断された場合であってもプログラムおよびデータ等を記憶可能な不揮発性記憶領域であるハードディスク３０２と、プログラムを実行する際の記憶領域を提供するためのＲＡＭ（Ｒａｎｄｏｍ  Ａｃｃｅｓｓ  Ｍｅｍｏｒｙ）３０８とを含む。
【００７９】
画像形成装置１００はさらに、原稿読取部１０２、画像形成部１０４、ＦＡＸ通信部１６０、操作ユニット１２０、ＲＯＭ３０６、ハードディスク３０２、およびＲＡＭ３０８に接続されるバス３１０と、バス３１０に接続された、画像形成装置としての一般的機能を実現するためのＣＰＵ３００とを含む。
【００８０】
ハードディスク３０２には、この画像形成装置１００でスキャンした原稿の画像データのファイルが、フォルダ別に、保存日時および保存ユーザ名ととともに記憶されている。また、ハードディスク３０２には、各動作モードの初期画面データが記憶されている。
【００８１】
ＲＯＭ３０６には、画像形成装置１００の動作を制御するのに必要なプログラムおよびデータ等が記憶されている。このＲＯＭ３０６にプログラムとともに記憶するデータとして、各動作モードの初期画面データを記憶するようにしても構わない。ＣＰＵ３００は、ＲＯＭ３０６に格納されているプログラムおよびデータに従って画像形成装置１００の制御を行なうとともに画像形成装置１００の各機能に関する制御を実行する。
【００８２】
図３に示すように、この画像形成装置１００のＦＡＸ通信部１６０には、画像データの送受信用に公衆回線が接続され、ネットワークインターフェイス３０４にはネットワーク回線が接続されている。このネットワーク回線には、この画像形成装置１００をネットワーク対応のプリンタとして使用するコンピュータ等が接続されたり、インターネットを介して指定されたＵＲＬ（Ｕｎｉｆｏｒｍ  Ｒｅｓｏｕｒｃｅ  Ｌｏｃａｔｏｒ）により特定されるコンピュータ等が接続されたりする。このようにインターネットに接続されると、画像形成装置１００は、インターネットを介して、必要な情報を取得することができる。
【００８３】
ＲＡＭ３０８は、ＣＰＵ３００による演算および処理の結果を一時的に記憶するワーキングメモリとしての機能と、画像データを記憶するフレームメモリとしての機能とを提供する。
【００８４】
原稿読取部１０２、画像形成部１０４、操作ユニット１２０を構成するタッチパネルディスプレイ１３０および表示操作部１４０、ならびにＲＯＭ３０６、ハードディスク３０２、およびＲＡＭ３０８に対する制御は、ＣＰＵ３００が所定のプログラムを実行することにより行なわれる。なお、操作ユニット１２０は、入出力インターフェイスを介してＣＰＵ３００と通信する。
【００８５】
操作ユニット１２０は、ユーザが目視しやすいように傾斜して設けられた板状のパネルで構成される。操作ユニット１２０の表面には、その左側の領域にタッチパネルディスプレイ１３０が、右側の領域に表示操作部１４０（表示灯１４２ならびにハードウェアボタンである電源キー１４４、省エネキー１４６およびホームキー１４８）が、備えられている。タッチパネルディスプレイ１３０および表示操作部１４０は、操作ユニット１２０が全体として一体となるように構成されている。
【００８６】
上述したように、このタッチパネルディスプレイ１３０は、表示パネル１３２と、表示パネル１３２に重ねて配置されたタッチパネル１３４とで構成される。このタッチパネルディスプレイ１３０においては、表示パネル１３２に、この画像形成装置１００における動作モードを選択するホーム画面、この画像形成装置１００の現在の状態、宛先指定状況、ジョブの処理状況等が表示される。表示パネル１３２の表示領域上にはソフトウェアボタンである選択ボタンが表示され、この選択ボタンの表示されている領域を指で押すと、タッチパネル１３４がその押された位置を検出する。プログラム上で、選択ボタンの表示位置とタッチパネル１３４が押された位置とを照合することにより、画像形成装置１００の動作モード選択、機能設定および動作指示等が行なわれる。この画像形成装置１００は、このようなタッチ操作（ユーザによる押圧位置に基づくコマンド入力操作）に加えて、上述したジェスチャー操作（ユーザによる操作軌跡に基づくコマンド入力操作）にも対応している。
【００８７】
また、表示操作部１４０の表示灯１４２は、たとえばＬＥＤ（Ｌｉｇｈｔ  Ｅｍｉｔｔｉｎｇ  Ｄｉｏｄｅ）で構成され、ＣＰＵ３００により点灯／消灯（／点滅）が制御される。主電源スイッチとは別に設けられた電源キー１４４をユーザが押下すると、この画像形成装置１００が待機モード（たとえば主電源がオンの状態でＦＡＸ受信動作のみ可能）から通常モードへ移行して、この画像形成装置１００の全ての動作モードが使用できるようになる。この状態に連動して表示灯１４２が点灯する。さらに、ユーザが操作しない時間が予め定められた時間を経過したり、省エネキー１４６をユーザが押下したりすると、この画像形成装置１００が通常モードから省エネモードへ移行して、この画像形成装置１００の一部の動作モードしか使用できないようになる。この状態に連動して表示灯１４２が点滅する。さらに、この省エネモードのときに、省エネキー１４６をユーザが押下すると、この画像形成装置１００が省エネモードから通常モードへ移行する。ホームキー１４８は、タッチパネルディスプレイ１３０の表示を初期状態（ホーム画面）へ戻すためのハードウェアキーである。なお、電源キー１４４、省エネキー１４６およびホームキー１４８を押下したときの処理はこれらに限定されるものではない。
【００８８】
なお、表示操作部１４０のハードウェアボタン（電源キー１４４、省エネキー１４６およびホームキー１４８）には、ＣＰＵ３００により点灯／消灯（／点滅）が制御されるキーランプを埋め込むようにしても構わない。たとえば、このキーランプは、円型のキーの周囲をリング状に光らせたり、キーの中央部を光らせたりする。操作デバイスとしてハードウェアボタンを使用することが許可されているタイミングで（ハードウェアボタンを使用すると処理が実行されるタイミングで）、このキーランプが点灯する。
【００８９】
本実施の形態に係る画像形成装置１００においては、上述した４つの動作モード（コピーモード、ファクスモード、ドキュメントファイリングモードおよびメールモード）を備える。タッチパネルディスプレイ１３０には、それぞれの動作モードにおける機能設定用のソフトウェアボタンと、必要に応じて、画像形成イメージであるプレビューまたは宛先設定用のボタン等が表示される。
【００９０】
動作モードが違う場合には、タッチパネルディスプレイ１３０は、異なる画面が表示される。このような場合であっても、ユーザが要求する情報を容易に見つけることのできるように、タッチパネルディスプレイ１３０は複数の領域に分割されて（かつその領域の大きさを可変として）、各領域に情報を表示するという本発明の本質的部分を備える。特に、この画像形成装置１００においては、主たる表示操作デバイスとして設けられたタッチパネルディスプレイ１３０のホーム画面において動作モードを選択すると、各動作モードの初期画面が表示される。この初期画面において、（１）基本レイアウトが５つの領域（「システム領域」、「機能選択領域」、「プレビュー領域」、「アクションパネル領域」、「タスクトリガー領域」）に分割されて適切に配置されているので、左上から右下へユーザが操作することにより（このような大型のタッチパネルディスプレイ１３０を備えない従来機と同じようなユーザの視点の動線および指先の動線が実現されるために）容易に設定が可能で、（２）異なる動作モードであっても５つの領域のそれぞれに表示される概念は同じものであって、動作モードが異なってもユーザが混乱することなく操作が可能であって、（３）タッチパネルディスプレイ１３０に適切に配置された「プレビュー領域」の表示モードを２以上備えそのプレビュー情報の内容を変更することにより、スキャン処理の進行度合いまたは／および原稿の重要度合いに応じて、最も適切なプレビューを表示し、（４）タッチパネルディスプレイ１３０に適切に配置された「プレビュー領域」を見たユーザが、たとえばモノクロコピーをカラーコピーへ変更しても再スキャンを必要としない処理が可能である。以下において、基本レイアウトの構成について説明する。
【００９１】
［基本レイアウト構成］
図４に、この画像形成装置１００のタッチパネルディスプレイ１３０における基本レイアウトを示す。図４を参照して、この基本レイアウトは、横長のタッチパネルディスプレイ１３０において（たとえば、横１０２４ピクセル×縦６００ピクセル）、最上部に配置されたシステム領域１０００、画面中央部に配置されたプレビュー領域３０００、プレビュー領域３０００の左側に配置された機能設定／確認領域２０００（以下、機能選択領域２０００と記載する）、プレビュー領域３０００の右上部に配置されたアクションパネル領域４０００、および、プレビュー領域３０００の右下部に配置されたタスクトリガー領域５０００で構成される。なお、領域の数は５つに限定されるものではなく、左右の並びもこれに限定されず、ユーザが操作しやすいようにカスタマイズすることができる。また、システム領域１０００の位置は最下部であっても構わない。
【００９２】
システム領域１０００には、この画像形成装置１００の現時点での状態が表示され、操作中の動作モードのタイトル、画像形成装置１００の状況・状態が表示される。たとえば、システム領域１０００には、動作モード名、割り込みキー、ログインユーザ名、処理中のジョブ状況、内蔵メモリ使用状態、時刻等が表示される。
【００９３】
機能選択領域２０００には、各機能の設定、表示の切り換え、設定の確認のためにユーザにより操作される機能選択メニュー（アイコン、ボタン等）が、アイコンモード、レギュラーモードおよびエキスプレスモードで表示態様を変更して、表示される。アイコンモードにおいては、プレビュー領域３０００が最も広くなるように機能選択領域２０００には機能設定用のアイコンのみが表示される。エキスプレスモードにおいては、プレビュー領域３０００が最も狭くなっても機能選択領域２０００には機能を一度に設定できる画面が大きく表示される。レギュラーモードにおいては、プレビュー領域３０００の大きさはアイコンモードとエキスプレスモードとの中間の大きさであって、機能選択領域２０００には機能設定のアイコンとともに機能名称がテキスト表示される。
【００９４】
なお、レギュラーモードにおいては、機能名称をテキスト表示するのみ（機能設定のアイコンを表示しない）であっても構わない。
【００９５】
これらのアイコンモード、レギュラーモードおよびエキスプレスモードの切り換えはユーザの操作に基づく。すなわち、プレビュー領域３０００の大きさが、ユーザの操作に応じて変更して表示される。このように、アイコンは、小さい領域でユーザへの情報を伝達することができるので、全ての機能に対して準備しておいて、プレビュー領域３０００が大きく表示できることが好ましい。
【００９６】
この機能選択領域２０００には、その下部に機能選択領域２０００の表示スタイルを変更する変更ボタン群２０１０を備える。変更ボタン群２０１０には、アイコンモードで機能選択領域２０００を表示するアイコンモード移行ボタン２０１２、「お気に入り」登録した機能を表示させるお気に入りボタン２０１４、設定が変更された機能を表示させるチェックボタン２０１６、選択されている動作モードにおいて設定可能な全ての機能の一覧を表示するリストボタン２０１８、レギュラーモードで機能選択領域２０００を表示するレギュラーモード移行ボタン２０２０、および、エキスプレスモードで機能選択領域２０００を表示するエキスプレスモード移行ボタン２０２２が配置されている。
【００９７】
なお、機能選択領域２０００に表示される情報が多い場合には、この機能選択領域２０００において上下方向にスクロール可能に情報が表示される。この場合において、この変更ボタン群２０１０はスクロールされないで、機能選択領域２０００の最下部に常に表示される。
【００９８】
プレビュー領域３０００には、原稿の出力（仕上がり）イメージが表示される。ダミーデータまたはスキャンデータを用いてイメージ表示し、ユーザが仕上がりを指示する毎にプレビュー領域３０００に表示されているイメージが変更される。このプレビュー領域３０００においては、スキャン前のバーチャルモードでのダミーイメージでの仕上がり表示、スキャン後のスキャンインモードでの実イメージでの仕上がり表示の２つのモードを有し、さらにバーチャルモードには、原稿セット前（第１のバーチャルモード）および原稿セット後（第２のバーチャルモード）の２種類がある。これらの３つの表示モード（第１のバーチャルモード、第２のバーチャルモードおよびスキャンインモード）の詳細については後述する。
【００９９】
このプレビュー領域３０００には、その下部にプレビュー領域３０００の表示スタイルを変更するプレビュー変更ボタン群３０１０を備える。プレビュー変更ボタン群３０１０には、プレビューを左に９０度回転させる左回転ボタン３０１６、プレビューを右に９０度回転させる右回転ボタン３０１８、ズームバー３０２０が配置されている。これら以外にも、たとえばカラー変更ボタン３０１２およびプレビュー操作ボタン３０１４が配置されている。
【０１００】
ここで、左回転ボタン３０１６を１回タッチ操作するとプレビューが左に９０度回転されて、２回タッチ操作するとプレビューが左に１８０度回転される（上下反転）。また、プレビュー領域に表示された仕上がり原稿イメージをジェスチャー操作しても（指先で原稿イメージを反時計回転方向に１８０度回転させても）、プレビューが左に１８０度回転されて上下反転される。
【０１０１】
右回転ボタン３０１８を１回タッチ操作するとプレビューが右に９０度回転されて、２回タッチ操作するとプレビューが右に１８０度回転される（上下反転）。また、プレビュー領域に表示された仕上がり原稿イメージをジェスチャー操作しても（指先で原稿イメージを時計回転方向に１８０度回転させても）、プレビューが右に１８０度回転されて上下反転される。
【０１０２】
ズームバー３０２０のプラスボタン３０２０Ａをタッチ操作したり、バー３０２０Ｃをプラスボタン３０２０Ａ側へジェスチャー操作（スライド）したりすると、プレビューが拡大して表示される。また、プレビュー領域に表示された仕上がり原稿イメージをジェスチャー操作しても（指先で原稿イメージをピンチアウト／ピンチオープンさせても）、プレビューが拡大して表示される。
【０１０３】
ズームバー３０２０のマイナスボタン３０２０Ｂをタッチ操作したり、バー３０２０Ｃをマイナスボタン３０２０Ｂ側へジェスチャー操作（スライド）したりすると、プレビューが縮小して表示される。また、プレビュー領域に表示された仕上がり原稿イメージをジェスチャー操作しても（指先で原稿イメージをピンチイン／ピンチクローズさせても）、プレビューが縮小して表示される。
【０１０４】
なお、プレビュー領域３０００に表示される原稿イメージのページ数が多い場合には、タッチ操作可能な表示ページ選択ボタン（ページ番号入力ボタン、ページ送りボタン、ページ戻しボタン、単ページ表示ボタン、複数ページ表示ボタン等）を表示するようにしても構わない。なお、原稿イメージをジェスチャー操作（フリック）してもプレビューされる原稿のページ送り、ページ戻しを行なうこともできる。また、プレビュー領域３０００に表示される原稿イメージが大きい場合には、タッチ操作またはジェスチャー操作可能なスクロールバーを表示するようにしても構わない。
【０１０５】
アクションパネル領域４０００には、操作についての補助・助言・提案についての情報が表示される。このアクションパネル領域４０００には、たとえば、あるユーザが特定の機能を選択すると、その機能に関連する機能を表示したり、目的指向でその機能についての他の機能を表示したり、このユーザまたはこのユーザが所属するグループのユーザが過去に組み合わせて選択した機能を「おすすめ機能」として表示したりする。
【０１０６】
タスクトリガー領域５０００には、その動作モードにおける全ての設定が完了して、この画像形成装置１００を実際に動作させるためにユーザにより操作されるトリガー項目が表示される。たとえば、処理を開始させるためのスタートボタン（ソフトウェアボタン）である。なお、印字を伴う動作モード（ファクス送信以外）において、消耗品切れについての情報も、タスクの実行不可に関連するので、この「タスクトリガー領域」に表示される。
【０１０７】
この場合において、スタートボタンが押下できる状態の場合にのみ、スタートボタンを表示することも好ましい。スタートボタンが押下できる状態とは、印字を伴う動作モードの場合には、全ての設定が終了してかつ消耗品（記録用紙およびトナー）切れでない状態であって、印字を伴わない動作モードであるファクスモード（送信）の場合には、宛先を含む全ての送信パラメータの設定が終了した状態である。
【０１０８】
これらの５領域は、動作モードが変更されても（どの動作モードの初期画面においても）、その配置された位置は変更されない。また、機能選択領域２０００（およびプレビュー領域３０００）におけるアイコンモード／レギュラーモード／エキスプレスモードの切り換え表示のように、領域はタッチパネルディスプレイ１３０の画面横方向（長手方向）に伸縮してサイズが変化する。
【０１０９】
このような５領域の配置は、従来機におけるユーザインターフェイスをも考慮しつつ、ユーザの視点の動線および操作の動線に着目して配置されている。このような配置により、タッチパネルディスプレイ１３０において、左上から右下へユーザの視線が動いて、左上から右下へユーザの操作（利き手の指先）が動く。これにより、ユーザフレンドリーな操作が可能という効果が発現される。
【０１１０】
なお、ある動作モードから他の動作モードへ遷移するためには、ホームキー１４８を押下して、ホーム画面において他の動作モードを選択する。このように、ホーム画面を経由して、動作モードが切り換えられる。
【０１１１】
このように、この画像形成装置１００においては、ユーザの視点の動線および操作の動線に着目して、情報を表示するタッチパネルディスプレイ１３０を備える。このタッチパネルディスプレイ１３０において、プレビュー領域３０００の表示モードが少なくとも２つの表示モードを有し（本実施の形態では３つの表示モード）、スキャンの進行状況または／および原稿の重要度合いに応じてこれらの表示モードを切り換えて、ユーザに適切にプレビュー情報を伝達する。このような表示処理は、上述したハードウェア構成を用いて実行されるソフトウェアにより実現される。以下において、このソフトウェア構成について説明する。
【０１１２】
［ソフトウェア構成］
図５は、画像形成装置１００のＣＰＵ３００で実行されるプログラムの制御構造を示すフローチャートである。なお、画像形成装置１００のＣＰＵ３００は、このようなプログラムと並行して、画像形成装置としての一般的機能を実現するプログラムを実行する。しかしながら、そのプログラムは、本発明の本質的部分とは直接関係するものではないので、その詳細についてはここでは説明しない。
【０１１３】
図５を参照して、ステップ（以下、ステップをＳと記載する。）１００００にて、画像形成装置１００のＣＰＵ３００（以下、単にＣＰＵ３００と記載する。）は、画像形成装置１００の電源が投入されたか否かを判定する。ここで、ＣＰＵ３００が作動するための主電源は投入されているものとし、ＣＰＵ３００は、電源キー１４４が押下されると、画像形成装置１００の電源が投入されたと判定するものとする。しかしながら、主電源が投入された場合にＳ１００００にてＹＥＳと判定するものであっても構わない。画像形成装置１００の電源が投入されたと判定されると（Ｓ１００００にてＹＥＳ）、処理はＳ１００１０へ移される。もしそうでないと（Ｓ１００００にてＮＯ）、この処理はＳ１００００へ戻されて、画像形成装置１００の電源が投入されたと判定されるまで待つ。
【０１１４】
Ｓ１００１０にて、ＣＰＵ３００は、タッチパネルディスプレイ１３０にウォームアップ画面を表示する。タッチパネルディスプレイ１３０にウォームアップ画面を表示されているときに、たとえば、システムチェック処理、ヒータへ通電して加熱ローラ２４８を昇温させる処理が実行される。
【０１１５】
Ｓ１００２０にて、ＣＰＵ３００は、ウォームアップが完了したか否かを判定する。ウォームアップが完了したと判定されると（Ｓ１００２０にてＹＥＳ）、処理はＳ１００３０へ移される。もしそうでないと（Ｓ１００２０にてＮＯ）、この処理はＳ１００２０へ戻されて、ウォームアップが完了するまで待つ。
【０１１６】
Ｓ１００３０にて、ＣＰＵ３００は、タッチパネルディスプレイ１３０にホーム画面を表示する。Ｓ１００４０にて、ＣＰＵ３００は、動作モードが選択されたか否かを判定する。このとき、ＣＰＵ３００は、たとえば、ホーム画面に表示されたアイコン（動作モードを模したアイコン）がタッチ操作、タップ操作またはダブルタップ操作されると、動作モードが選択されたと判定する。動作モードが選択されたと判定されると（Ｓ１００４０にてＹＥＳ）、処理はＳ１００５０へ移される。もしそうでないと（Ｓ１００４０にてＮＯ）、この処理はＳ１００３０へ戻されて、ホーム画面を表示し続ける。なお、アイコンをタッチ操作、タップ操作またはダブルタップ操作することについては、これ以外のジェスチャー操作を排除することを意味するものではなく、タッチパネルディスプレイ１３０に対するタッチ操作およびジェスチャー操作のいずれの操作であってもよいことを示す。また、単に「押下」と記載した場合であっても、これらのいずれかの操作を示す場合がある。
【０１１７】
Ｓ１００５０にて、ＣＰＵ３００は、ハードディスク３０２等に記憶された初期画面データであって、選択された動作モードの初期画面データを読出す。Ｓ１００６０にて、ＣＰＵ３００は、読出した初期画面データを用いてタッチパネルディスプレイ１３０に選択された動作モードの初期画面を表示する。
【０１１８】
Ｓ１００７０にて、ＣＰＵ３００は、スキャンが必要なモードであるか否かを判定する。このとき、ＣＰＵ３００は、コピーモードが選択された場合にスキャンが必要なモードであると判定することに加えて、たとえば（保存された画像データではなく）これからスキャンした画像データを電子メールに添付する形式で送信する場合にもスキャンが必要なモードであると判定することもできる。スキャンが必要なモードであると判定されると（Ｓ１００７０にてＹＥＳ）、処理はＳ１００８０へ移される。もしそうでないと（Ｓ１００７０にてＮＯ）、この処理はＳ１００９０へ移される。
【０１１９】
Ｓ１００８０にて、ＣＰＵ３００は、原稿読取部１０２の原稿載置台に原稿がセット済みであるか否かを判定する。原稿載置台に原稿がセット済みであると判定されると（Ｓ１００８０にてＹＥＳ）、処理はＳ１０１００へ移される。もしそうでないと（Ｓ１００８０にてＮＯ）、この処理はＳ１０１１０へ移される。なお、原稿読取部１０２の原稿載置台（コンタクトガラス面）に原稿がセットされた場合に加えて、自動原稿搬送装置の原稿トレイへ原稿がセットされた場合にも、原稿載置台に原稿がセット済みであると判定される。
【０１２０】
Ｓ１００９０にて、ＣＰＵ３００は、各動作モードにおける処理を実行する。なお、このＳ１００９０における処理は、本発明の本質的部分とは直接関係するものではないので、その詳細についてはここでは説明しない。
【０１２１】
Ｓ１０１００にて、ＣＰＵ３００は、原稿読取部１０２で原稿がスキャン済みであるか否かを判定する。原稿がスキャン済みであると判定されると（Ｓ１０１００にてＹＥＳ）、処理はＳ１０１３０へ移される。もしそうでないと（Ｓ１０１００にてＮＯ）、この処理はＳ１０１２０へ移される。
【０１２２】
Ｓ１０１１０にて、ＣＰＵ３００は、原稿がセットされていないので、現在選択されている用紙カセット２４０についてのプレビュー情報を、第１のバーチャルモードでタッチパネルディスプレイ１３０に表示する。その後、処理はＳ１０１４０へ移される。
【０１２３】
Ｓ１０１２０にて、ＣＰＵ３００は、原稿がセットされているがスキャンされていないので、ダミーデータを用いたプレビュー情報を、第２のバーチャルモードでタッチパネルディスプレイ１３０に表示する。その後、処理はＳ１０１４０へ移される。
【０１２４】
Ｓ１０１３０にて、ＣＰＵ３００は、原稿がセットされてスキャンされているので、スキャンデータ（原稿の画像データ）を用いたプレビュー情報を、スキャンインモードでタッチパネルディスプレイ１３０に表示する。その後、処理はＳ１０１４０へ移される。
【０１２５】
Ｓ１０１４０にて、ＣＰＵ３００は、選択された動作モードにおいて、要求が入力されたか否かを判定する。ユーザによる要求が入力されたと判定されると（Ｓ１０１４０にてＹＥＳ）、処理はＳ１０１５０へ移される。もしそうでないと（Ｓ１０１４０にてＮＯ）、この処理はＳ１０１６０へ移される。
【０１２６】
Ｓ１０１５０にて、ＣＰＵ３００は、画像形成装置１００において、ユーザにより要求された処理を実行する。その後、この処理は終了する。
【０１２７】
Ｓ１０１６０にて、ＣＰＵ３００は、ホームキーが押下されたか否かを判定する。ホームキーが押下されたと判定されると（Ｓ１０１６０にてＹＥＳ）、処理はＳ１００３０へ移される。もしそうでないと（Ｓ１０１６０にてＮＯ）、この処理はＳ１０１４０へ戻されて、ユーザによる要求が入力されたと判定されるまで待つ。
【０１２８】
なお、ウォームアップ完了で（Ｓ１００２０にてＹＥＳ）、ログイン画面を表示するようにしても構わない。以下の動作の説明においては、このようなウォームアップ完了後のログイン動作について記載しないが、この画像形成装置１００を使用するユーザはログインする必要があるとして説明する。
【０１２９】
さらに、Ｓ１０１４０においてユーザにより入力される要求には、機能選択領域２０００の表示モードの変更、機能選択領域２０００での機能設定、プレビュー領域３０００におけるプレビューの表示態様の変更等の、画像形成装置１００が実際に印刷しないで印刷前の要求も含まれる。このような印刷前の処理が要求された場合には、その要求をＳ１０１５０にて実行して、さらなる要求の入力（最終的には印刷要求）を待つために、Ｓ１０１５０の後、処理をＳ１０１４０へ戻すことになる。
【０１３０】
［動作］
以上のような構造およびフローチャートに基づく、本実施の形態に係る画像形成装置１００の動作について、図６〜図２０に示すタッチパネルディスプレイ１３０の表示例を用いて説明する。
【０１３１】
−ホーム画面表示動作−
【０１３２】
ユーザが、この画像形成装置１００の電源キー１４４を押下すると（Ｓ１００００にてＹＥＳ）、ウォームアップが完了するまでは（Ｓ１００２０にてＮＯ）、タッチパネルディスプレイ１３０にウォームアップ画面が表示される（Ｓ１００１０）。このとき、ウォームアップ画面として、画像形成装置１００がシステムチェック中でも表示できる情報であって、この画像形成装置１００を使用しようとしているユーザに有益な情報を準備しておいて、タッチパネルディスプレイ１３０に表示することが好ましい。
【０１３３】
ウォームアップが完了すると（Ｓ１００２０にてＹＥＳ）、タッチパネルディスプレイ１３０にホーム画面が表示される（Ｓ１００３０）。このとき、たとえば、タッチパネルディスプレイ１３０には、図６に示すホーム画面６０００が表示される。図６に示すように、ホーム画面６０００は、上述したレイアウト構成の５領域の全ての領域が表示されるものでなく、５領域とは関係なくタッチパネルディスプレイ１３０の大部分に動作モードを選択するためのアイコン（動作モードを模したアイコン）が表示される。
【０１３４】
図６を参照して、ホーム画面６０００は、上述したシステム領域に対応するホームシステム領域６１００と、アイコン表示領域６２００と、アイコン表示切換タブボタン６３００と、メモ表示領域６４００とで構成される。
【０１３５】
ホームシステム領域６１００には、ホーム画面を示すアイコンが表示されるエリア６１０２、表示されている画面の名称が表示されるエリア６１０４、ログインユーザ名が表示されるエリア６１０６、ログアウトボタン（ソフトウェアボタン）が表示されるエリア６１０８、現在時刻が表示されるエリア６１１０が配置されている。
【０１３６】
アイコン表示領域６２００には、動作モードを模したアイコン６２１０〜アイコン６２７４がその動作モードの名称または略称とともに表示される。なお、動作モードの名称または略称は必須ではない。本実施の形態においては、少なくとも４つの動作モード（コピーモード、ファクスモード、ドキュメントファイリングモードおよびメールモード）を備えるため、コピーモードを選択するためのアイコン６２４２、ファクスモードを選択するためのアイコン６２３２、ドキュメントファイリングモードを選択するためのアイコン６２５４、メールモードを選択するためのアイコン６２４０が、アイコン表示領域６２００に表示される。図６においては、これら以外の動作モードを選択するためのアイコン、他の設定モード（たとえばシステム設定、言語設定）を選択するためのアイコンおよび他の画面を表示するためのアイコン（たとえばジョブ状況）も表示している。
【０１３７】
図６に示すように、アイコン表示領域６２００においては、中央列のアイコン（たとえばアイコン６２４０、アイコン６２４２、アイコン６２４４）は、それらの左右のアイコン（たとえばアイコン６２４０に対するアイコン６２３０およびアイコン６２５０、アイコン６２４２に対するアイコン６２３２およびアイコン６２５２、アイコン６２４４に対するアイコン６２３４およびアイコン６２５４）よりも大きく表示される。また、このアイコン表示領域６２００においては、中央段のアイコン（たとえばアイコン６２３２、アイコン６２４２、アイコン６２５２）は、それらの上下のアイコン（たとえばアイコン６２３２に対するアイコン６２３０およびアイコン６２３４、アイコン６２４２に対するアイコン６２４０およびアイコン６２４４、アイコン６２５２に対するアイコン６２５０およびアイコン６２５４）よりも大きく表示される。このように、このアイコン表示領域６２００においては、アイコンの大きさは、中央部の中央段に配置されるアイコンの大きさが最も大きく、かつ、左右対称および上下対称になるように表示される。
【０１３８】
また、タッチパネルディスプレイ１３０の画面に表示されたアイコン表示領域６２００を、ユーザが指先で左にフリック操作すると、画面に表示されるアイコンが、矢示６０１０で示す方向へ流れるように移動し、ユーザが指先で右にフリック操作すると、画面に表示されるアイコンが、矢示６０２０で示す方向へ流れるように移動する。このときの移動量は、フリック操作における指先の移動幅により定めても良いし、１回のフリック操作に対して予め設定される所定量としても良い。また、このアイコン表示領域６２００は、仮想円筒に表示されたように構成すると、アイコンを無端状で切り換えて表示させることができる。
【０１３９】
メモ表示領域６４００には、この画像形成装置１００のユーザ全般に知らせたいメンテナンス情報等が表示される。
【０１４０】
−各動作モードの初期画面表示動作−
【０１４１】
・コピーモード
図６に示すアイコン６２４２をユーザが指先でタッチ操作、タップ操作またはダブルタップ操作すると、動作モードが選択されたと判定され（Ｓ１００４０にてＹＥＳ）、選択された動作モードがコピーモードであると判定される。ハードディスク３０２等から読出したコピー初期画面データを用いてタッチパネルディスプレイ１３０にコピーモードの初期画面が表示される（Ｓ１００５０、Ｓ１００６０）。このとき、たとえば、タッチパネルディスプレイ１３０には、図７に示すコピーモード初期画面７１００が表示される。図７に示すように、コピーモード初期画面７１００は、上述したレイアウト構成の５領域に分割されて情報が表示される。また、このコピーモード初期画面７１００における機能選択領域２０００はレギュラーモードで表示されている。
【０１４２】
図７を参照して、コピーモード初期画面７１００のシステム領域１０００には、選択されている動作モード（ここではコピーモード）を示すエリア１１０２、選択された動作モードに付随するサブ情報を表示するエリア１１０４、ログインユーザ名を表示するエリア１１０６、ログアウトボタン（ソフトウェアボタン）が表示されるエリア１１０８、現在実行中のジョブ状況を表示するエリア１１１０、ジョブ状況に関係するボタン（ソフトウェアボタン）が表示されるエリア１１１２、通信状態が表示されるエリア１１１４、現在時刻が表示されるエリア１１１６が配置されている。
【０１４３】
エリア１１０２には、動作モードを示す名称または／およびアイコンが表示される。このエリア１１０２をタッチ操作、タップ操作またはダブルタップ操作すると、動作モードを示すメニューがプルダウン表示されて動作モードを切り換えることができるようにすることも好ましい（他の動作モードにおいても同じ）。
【０１４４】
エリア１１０４には、サブ情報として、割り込みキー（ソフトウェアボタン）が表示される。この割り込みキーをタッチ操作、タップ操作またはダブルタップ操作すると、コピーモードにおいて割り込み処理を実行することができる。
【０１４５】
エリア１１０６には、現在実行中のジョブ状況がアイコンで表示される。このジョブ状況をタッチ操作、タップ操作またはダブルタップ操作すると、詳細なジョブ状況情報が表示される。さらに、エリア１１１２には、選択されたジョブを停止させるボタン等を表示することも好ましい。
【０１４６】
コピーモード初期画面７１００の機能選択領域２０００には、コピーモードにおいてユーザが選択できる機能選択メニューおよび上述した変更ボタン群２０１０が表示されている。図７に示す画面では、レギュラーモードで機能選択メニューが表示されている。
【０１４７】
図７に示すように、レギュラーモードで表示される機能選択メニューは、アイコン群２１００とテキスト群２１２０とで構成される。この機能選択領域２０００に表示される機能選択メニューとして、コピー部数を設定するアイコン２１０２および設定された内容を表示するテキスト２１２２、カラーモードを設定するアイコン２１０４および設定された内容を表示するテキスト２１２４、コピー濃度を設定するアイコン２１０６および設定された内容を表示するテキスト２１２６、コピー倍率を設定するアイコン２１０８および設定された内容を表示するテキスト２１２８、原稿の種類を設定するアイコン２１１０および設定された内容を表示するテキスト２１３０、用紙の種類を設定するアイコン２１１２および設定された内容を表示するテキスト２１３２、画像を編集するアイコン２１１４および設定された内容を表示するテキスト２１３４、レイアウトを編集するアイコン２１１６および設定された内容を表示するテキスト２１３６が表示されている。
【０１４８】
なお、上述したように、これらの機能設定メニューにおけるさらなる項目は、変更ボタン群２０１０の表示位置を固定した状態で、上下方向にスクロール可能に表示することができる。そして、上下方向に隠れて表示されていない項目を含めて機能設定メニューの表示項目を切り換えることは、タッチ操作（スクロール操作）でもジェスチャー操作（上下方向へフリック操作）のいずれの操作でも可能である。
【０１４９】
ここで、画像編集とは、１ページの原稿に対する画像編集であって、さらに下位の階層メニューとして、枠消去、印字メニュー、ウォータマーク、ユーザスタンプ等があり、レイアウト編集とは、複数ページの原稿に対する画像編集であって、さらに下位の階層メニューとして、ページ集約、とじしろ、ページ移動、センタリング等がある。これらのさらなる下位メニューは、アイコン２１０２〜アイコン２１１６またはテキスト２１２２〜テキスト２１３６をタッチ操作、タップ操作またはダブルタップ操作すると、タッチパネルディスプレイ１３０に表示される。
【０１５０】
コピーモード初期画面７１００のプレビュー領域３０００には、原稿の出力（仕上がり）イメージ３１００および上述したプレビュー変更ボタン群３０１０が配置されている。このとき、ダミーデータまたはスキャンデータを用いてイメージ３１００が表示され、ユーザが機能選択領域２０００の機能設定メニューを変更する毎に、イメージ３１００が変更されてプレビュー領域３０００に表示される（プレビューの表示が変更）。
【０１５１】
コピーモード初期画面７１００のアクションパネル領域４０００には、コピー操作についての補助・助言・提案についての情報が表示されている。ここでは、図７に示すように、このユーザが選択したコピーモードにおけるおすすめ機能が表示される。このとき、アクションパネル領域４０００は、表示されている情報の内容を示すエリア４１００、それ自体がソフトウェアボタンとしておすすめ機能をテキスト表示するエリア４１０２〜エリア４１０６が配置されている。
【０１５２】
エリア４１０２をタッチ操作、タップ操作またはダブルタップ操作すると、省エネコピーについてのさらに詳細な情報がプルダウン表示される。たとえば、このとき、両面印刷すると用紙を節約できますというテキストとともに両面コピーの機能設定画面へ遷移するソフトウェアボタンと、複数の原稿を集約して印刷すると用紙を節約できますというテキストとともにページ集約の機能設定画面へ遷移するソフトウェアボタンと、本のように綴じられるように印刷することができますというテキストとともに中とじの機能設定画面へ遷移するソフトウェアボタンとが、表示される。
【０１５３】
コピーモード初期画面７１００のタスクトリガー領域５０００には、実行ボタン群５１００が表示される。この実行ボタン群５１００として、原稿をスキャンして画像データを取得するように画像形成装置１００を作動させるスキャンインキー（ソフトウェアボタン）５１０２、設定した機能をクリアするクリアオールキー（ソフトウェアボタン）５１０４、原稿をスキャンしてモノクロコピーを実行するように画像形成装置１００を作動させるモノクロスタートキー（ソフトウェアボタン）５１０６、原稿をスキャンしてカラーコピーを実行するように画像形成装置１００を作動させるカラースタートキー（ソフトウェアボタン）５１０８が配置されている。
【０１５４】
このように、５つの領域に分割して情報が表示されたコピーモード初期画面７１００において、ユーザが要求を入力すると（Ｓ１０１４０にてＹＥＳ）、その要求に従ってコピー処理が実行される（Ｓ１０１５０）。
【０１５５】
・メールモード
図６に示すアイコン６２４０をユーザが指先でタッチ操作、タップ操作またはダブルタップ操作すると、動作モードが選択されたと判定され（Ｓ１００４０にてＹＥＳ）、選択された動作モードがメールモードであると判定される。ハードディスク３０２等から読出したメール初期画面データを用いてタッチパネルディスプレイ１３０にメールモードの初期画面が表示される（Ｓ１００５０、Ｓ１００６０）。このとき、たとえば、タッチパネルディスプレイ１３０には、図８に示すメールモード初期画面７２００が表示される。図８に示すように、メールモード初期画面７２００は、上述したレイアウト構成の５領域に分割されて情報が表示される。
【０１５６】
図８を参照して、メールモード初期画面７２００のシステム領域１０００には、選択されている動作モード（ここではメールモード）を示すエリア１２０２、選択された動作モードに付随するサブ情報を表示するエリア１２０４、ログインユーザ名を表示するエリア１２０６、ログアウトボタン（ソフトウェアボタン）が表示されるエリア１２０８、通信状態が表示されるエリア１２１４、現在時刻が表示されるエリア１２１６が配置されている。
【０１５７】
エリア１２０４には、サブ情報として、ジョブを追加する場合のキー（ソフトウェアボタン）が表示される。この割り込みキーをタッチ操作、タップ操作またはダブルタップ操作すると、メールモードにおいて追加するジョブを指定する処理を実行することができる。
【０１５８】
メールモード初期画面７２００の機能選択領域２０００には、メールモードにおいてユーザが選択できる機能選択メニューおよび上述した変更ボタン群２０１０が表示されている。図８に示す画面では、レギュラーモードで機能選択メニューが表示されている。
【０１５９】
図８に示すように、レギュラーモードで表示される機能選択メニューは、アイコン群２２００とテキスト群２２２０とで構成される。この機能選択領域２０００に表示される機能選択メニューとして、メールの添付ファイルで送信する原稿のカラーモードを設定するアイコン２２０２および設定された内容を表示するテキスト２２２２、メールの添付ファイルで送信する原稿の濃度を設定するアイコン２２０４および設定された内容を表示するテキスト２２２４、メールの添付ファイルで送信する原稿の倍率を設定するアイコン２２０６および設定された内容を表示するテキスト２２２６、メールの添付ファイルで送信する原稿の種類を設定するアイコン２２０８および設定された内容を表示するテキスト２２２８が表示されている。
【０１６０】
なお、上述したように、これらの機能設定メニューにおけるさらなる項目は、変更ボタン群２０１０の表示位置を固定した状態で、上下方向にスクロール可能に表示することができる。そして、上下方向に隠れて表示されていない項目を含めて機能設定メニューの表示項目を切り換えることは、タッチ操作（スクロール操作）でもジェスチャー操作（上下方向へフリック操作）のいずれの操作でも可能である。
【０１６１】
さらに、機能選択メニューに加えて、メールモード初期画面７２００の機能選択領域２０００には、メールアドレスを指定するときのアドレス帳を表示するためのボタン２２４０、メールの件名を指定するためのボタン２２４２、メールに添付するファイルを指定するためのボタン２２４４、メールの本文を入力するためのボタン２２４６が表示されている。
【０１６２】
ボタン２２４０をタッチ操作、タップ操作またはダブルタップ操作すると、この画像形成装置１００に記憶されたアドレス帳の中で、メールアドレスが記憶されている宛先のみを抽出したアドレス帳が表示される。
【０１６３】
ボタン２２４２をタッチ操作、タップ操作またはダブルタップ操作するとテキスト入力画面が表示されてメールの件名を入力することができ、ボタン２２４４をタッチ操作、タップ操作またはダブルタップ操作するとファイル名指定画面が表示されてファイル名を指定することができ、ボタン２２４６をタッチ操作、タップ操作またはダブルタップ操作するとテキスト入力画面が表示されてメールの本文を入力することができる。
【０１６４】
メールモード初期画面７２００のプレビュー領域３０００には、原稿の出力（仕上がり）イメージ３２００が配置されている。このとき、ダミーデータまたはスキャンデータを用いてイメージ３２００が表示され、ユーザが機能選択領域２０００の機能設定メニューを変更する毎に、イメージ３２００が変更されてプレビュー領域３０００に表示される（プレビューの表示が変更）。
【０１６５】
さらに、イメージ３２００に加えて、メールモード初期画面７２００のプレビュー領域３０００には、メール宛先を入力するためのボタン３２０２が表示されている。このボタン３２０２をタッチ操作、タップ操作またはダブルタップ操作するとテキスト入力画面が表示されてメールの宛先を直接入力することができたり、アドレス帳から選択したりすることができる。
【０１６６】
メールモード初期画面７２００のアクションパネル領域４０００には、メール操作についての補助・助言・提案についての情報が表示されている。ここでは、図８に示すように、このユーザが選択したメールモードにおけるおすすめ機能が表示される。このとき、アクションパネル領域４０００は、表示されている情報の内容を示すエリア４２００、それ自体がソフトウェアボタンとしておすすめ機能をテキスト表示するエリア４２０２〜エリア４２０４が配置されている。
【０１６７】
エリア４２０２をタッチ操作、タップ操作またはダブルタップ操作すると、同報メール送信についてのさらに詳細な情報がプルダウン表示されたり、エリア４２０４をタッチ操作、タップ操作またはダブルタップ操作すると、メールに添付するデータのサイズを小さくする操作についてのさらに詳細な情報がプルダウン表示されたり、エリア４２０６をタッチ操作、タップ操作またはダブルタップ操作すると、メールに添付して送信する原稿をハードディスク３０２へ保存する操作についてのさらに詳細な情報がプルダウン表示されたりする。
【０１６８】
メールモード初期画面７２００のタスクトリガー領域５０００には、実行ボタン群５２００が表示される。この実行ボタン群５２００として、原稿をスキャンして画像データを取得するように画像形成装置１００を作動させるスキャンインキー（ソフトウェアボタン）５２０２、設定した機能をクリアするクリアオールキー（ソフトウェアボタン）５２０４、原稿をスキャンしてメールに添付して送信する処理を実行するように画像形成装置１００を作動させる送信スタートキー（ソフトウェアボタン）５２０６が配置されている。
【０１６９】
このように、５つの領域に分割して情報が表示されたメールモード初期画面７２００において、ユーザが要求を入力すると（Ｓ１０１４０にてＹＥＳ）、その要求に従ってメール処理が実行される（Ｓ１０１５０）。
【０１７０】
・ＦＡＸモード
図６に示すアイコン６２３２をユーザが指先でタッチ操作、タップ操作またはダブルタップ操作すると、動作モードが選択されたと判定され（Ｓ１００４０にてＹＥＳ）、選択された動作モードがＦＡＸモードであると判定される。ハードディスク３０２等から読出したＦＡＸ初期画面データを用いてタッチパネルディスプレイ１３０にＦＡＸモードの初期画面が表示される（Ｓ１００５０、Ｓ１００６０）。このとき、たとえば、タッチパネルディスプレイ１３０には、図９に示すＦＡＸモード初期画面７３００が表示される。図９に示すように、ＦＡＸモード初期画面７３００は、上述したレイアウト構成の５領域に分割されて情報が表示される。
【０１７１】
図９を参照して、ＦＡＸモード初期画面７３００のシステム領域１０００には、選択されている動作モード（ここではＦＡＸモード）を示すエリア１３０２、選択された動作モードに付随するサブ情報を表示するエリア１３０４、ログインユーザ名を表示するエリア１３０６、ログアウトボタン（ソフトウェアボタン）が表示されるエリア１３０８、オンフック時の音量調整ボタンを表示するエリア１３１０、メモリの残量を表示するエリア１３１２、通信状態が表示されるエリア１３１４、現在時刻が表示されるエリア１３１６が配置されている。
【０１７２】
エリア１３０４には、サブ情報として、ジョブを追加する場合のキー（ソフトウェアボタン）が表示される。この割り込みキーをタッチ操作、タップ操作またはダブルタップ操作すると、ＦＡＸモードにおいて追加するジョブを指定する処理を実行することができる。
【０１７３】
エリア１３１０に表示される音量調整ボタンをタッチ操作、タップ操作またはダブルタップ操作すると、オンフック時の音量調整用のスライドバーが表示される。
【０１７４】
ＦＡＸモード初期画面７３００の機能選択領域２０００には、ＦＡＸモードにおいてユーザが選択できる機能選択メニューおよび上述した変更ボタン群２０１０が表示されている。図９に示す画面では、レギュラーモードで機能選択メニューが表示されている。
【０１７５】
図９に示すように、レギュラーモードで表示される機能選択メニューは、アイコン群２３００とテキスト群２３２０とで構成される。この機能選択領域２０００に表示される機能選択メニューとして、ＦＡＸ原稿の濃度を設定するアイコン２３０２および設定された内容を表示するテキスト２３２２、ＦＡＸ原稿の種類を設定するアイコン２３０４および設定された内容を表示するテキスト２３２４、画像を編集するアイコン２３０６および設定された内容を表示するテキスト２３２６、レイアウトを編集するアイコン２３０８および設定された内容を表示するテキスト２３２８、ＦＡＸの通信結果表を表示するアイコン２３１０およびそのテキスト２３３０、ＦＡＸ発信元の情報をＦＡＸ原稿に印字するアイコン２３１２およびそのテキスト２３３２、メモリボックスに記憶された情報を表示するアイコン２３１４およびそのテキスト２３３４が表示されている。
【０１７６】
なお、上述したように、これらの機能設定メニューにおけるさらなる項目は、変更ボタン群２０１０の表示位置を固定した状態で、上下方向にスクロール可能に表示することができる。そして、上下方向に隠れて表示されていない項目を含めて機能設定メニューの表示項目を切り換えることは、タッチ操作（スクロール操作）でもジェスチャー操作（上下方向へフリック操作）のいずれの操作でも可能である。
【０１７７】
さらに、機能選択メニューに加えて、ＦＡＸモード初期画面７３００の機能選択領域２０００には、ＦＡＸの宛先の電話番号を指定するときのアドレス帳を表示するためのボタン２３４０が表示されている。
【０１７８】
ボタン２３４０をタッチ操作、タップ操作またはダブルタップ操作すると、この画像形成装置１００に記憶されたアドレス帳の中で、ＦＡＸ電話番号が記憶されている宛先のみを抽出したアドレス帳が表示される。
【０１７９】
ＦＡＸモード初期画面７３００のプレビュー領域３０００には、原稿の出力（仕上がり）イメージ３３００が配置されている。このとき、ダミーデータまたはスキャンデータを用いてイメージ３３００が表示され、ユーザが機能選択領域２０００の機能設定メニューを変更する毎に、イメージ３３００が変更されてプレビュー領域３０００に表示される（プレビューの表示が変更）。
【０１８０】
さらに、イメージ３３００に加えて、ＦＡＸモード初期画面７３００のプレビュー領域３０００には、ＦＡＸ宛先を入力するためのボタン３３０２が表示されている。このボタン３３０２をタッチ操作、タップ操作またはダブルタップ操作するとテキスト入力画面が表示されてＦＡＸの宛先を直接入力することができたり、アドレス帳から選択したりすることができる。
【０１８１】
ＦＡＸモード初期画面７３００のアクションパネル領域４０００には、ＦＡＸ操作についての補助・助言・提案についての情報が表示されている。ここでは、図９に示すように、このユーザが選択したＦＡＸモードにおけるおすすめ機能が表示される。このとき、アクションパネル領域４０００は、表示されている情報の内容を示すエリア４３００、それ自体がソフトウェアボタンとしておすすめ機能をテキスト表示するエリア４３０２〜エリア４３０４が配置されている。
【０１８２】
エリア４３０２をタッチ操作、タップ操作またはダブルタップ操作すると、同報ＦＡＸ送信についてのさらに詳細な情報がプルダウン表示されたり、エリア４３０４をタッチ操作、タップ操作またはダブルタップ操作すると、ＦＡＸ送信するデータのサイズを小さくする操作についてのさらに詳細な情報がプルダウン表示されたり、エリア４３０６をタッチ操作、タップ操作またはダブルタップ操作すると、送信するＦＡＸ原稿をハードディスク３０２へ保存する操作についてのさらに詳細な情報がプルダウン表示されたりする。
【０１８３】
ＦＡＸモード初期画面７３００のタスクトリガー領域５０００には、実行ボタン群５３００が表示される。この実行ボタン群５３００として、原稿をスキャンして画像データを取得するように画像形成装置１００を作動させるスキャンインキー（ソフトウェアボタン）５３０２、設定した機能をクリアするクリアオールキー（ソフトウェアボタン）５３０４、原稿をスキャンしてＦＡＸ送信する処理を実行するように画像形成装置１００を作動させる送信スタートキー（ソフトウェアボタン）５３０６、直接送信するためのチェックボックス５３０８が配置されている。
【０１８４】
このように、５つの領域に分割して情報が表示されたＦＡＸモード初期画面７３００において、ユーザが要求を入力すると（Ｓ１０１４０にてＹＥＳ）、その要求に従ってＦＡＸ処理が実行される（Ｓ１０１５０）。
【０１８５】
・ドキュメントファイリングモード
図６に示すアイコン６２５４をユーザが指先でタッチ操作、タップ操作またはダブルタップ操作すると、動作モードが選択されたと判定され（Ｓ１００４０にてＹＥＳ）、選択された動作モードがドキュメントファイリングモードであると判定される。
【０１８６】
この場合において、ハードディスク３０２に記憶されたファイル一覧が読出されて、タッチパネルディスプレイ１３０にドキュメントファイリングモードにおけるファイル読出し処理の画面が表示される場合がある。以下においては、このファイル読出し処理の画面にてハードディスク３０２から読出すファイルがユーザにより選択された後に、タッチパネルディスプレイ１３０に表示されるドキュメントファイリングモードの初期画面について説明する。
【０１８７】
ハードディスク３０２等から読出したドキュメントファイリング初期画面データを用いてタッチパネルディスプレイ１３０にドキュメントファイリングモードの初期画面が表示される（Ｓ１００５０、Ｓ１００６０）。このとき、たとえば、タッチパネルディスプレイ１３０には、図１０に示すドキュメントファイリングモード初期画面７５００が表示される。図１０に示すように、ドキュメントファイリングモード初期画面７５００は、上述したレイアウト構成の５領域に分割されて情報が表示される。また、このドキュメントファイリングモード初期画面７５００における機能選択領域２０００はレギュラーモードで表示されている。
【０１８８】
図１０を参照して、ドキュメントファイリングモード初期画面７５００のシステム領域１０００には、選択されている動作モード（ここではドキュメントファイリングモード）を示すエリア１５０２、ログインユーザ名を表示するエリア１５０６、ログアウトボタン（ソフトウェアボタン）が表示されるエリア１５０８、現在実行中のジョブ状況を表示するエリア１５１０、ジョブ状況に関係するボタン（ソフトウェアボタン）が表示されるエリア１５１２、通信状態が表示されるエリア１５１４、現在時刻が表示されるエリア１５１６が配置されている。
【０１８９】
エリア１５０６には、現在実行中のジョブ状況がアイコンで表示される。このジョブ状況をタッチ操作、タップ操作またはダブルタップ操作すると、詳細なジョブ状況情報が表示される。さらに、エリア１５１２には、選択されたジョブを停止させるボタン等を表示することも好ましい。
【０１９０】
ドキュメントファイリングモード初期画面７５００の機能選択領域２０００には、ドキュメントファイリングモードにおいてユーザが選択できる機能選択メニューおよび上述した変更ボタン群２０１０が表示されている。図１０に示す画面では、レギュラーモードで機能選択メニューが表示されている。
【０１９１】
図１０に示すように、レギュラーモードで表示される機能選択メニューは、アイコン群２５００とテキスト群２５２０とで構成される。この機能選択領域２０００に表示される機能選択メニューとして、ドキュメントファイリングモードで読出した原稿を印刷する部数を設定するアイコン２５０２および設定された内容を表示するテキスト２５２２、ドキュメントファイリングモードで読出した原稿のカラーモードを設定するアイコン２５０４および設定された内容を表示するテキスト２５２４、ドキュメントファイリングモードで読出した原稿の濃度を設定するアイコン２５０６および設定された内容を表示するテキスト２５２６、ドキュメントファイリングモードで読出した原稿の倍率を設定するアイコン２５０８および設定された内容を表示するテキスト２５２８、ドキュメントファイリングモードで読出した原稿の種類を設定するアイコン２５１０および設定された内容を表示するテキスト２５３０、ドキュメントファイリングモードで読出した原稿を印刷する用紙の種類を設定するアイコン２５１２および設定された内容を表示するテキスト２５３２、ドキュメントファイリングモードで読出した原稿の画像を編集するアイコン２５１４および設定された内容を表示するテキスト２５３４、ドキュメントファイリングモードで読出した原稿のレイアウトを編集するアイコン２５１６および設定された内容を表示するテキスト２５３６が表示されている。
【０１９２】
なお、上述したように、これらの機能設定メニューにおけるさらなる項目は、変更ボタン群２０１０の表示位置を固定した状態で、上下方向にスクロール可能に表示することができる。そして、上下方向に隠れて表示されていない項目を含めて機能設定メニューの表示項目を切り換えることは、タッチ操作（スクロール操作）でもジェスチャー操作（上下方向へフリック操作）のいずれの操作でも可能である。
【０１９３】
ドキュメントファイリングモード初期画面７５００のプレビュー領域３０００には、原稿の出力（仕上がり）イメージ３５００および上述したプレビュー変更ボタン群３０１０が配置されている。このとき、ダミーデータまたはスキャンデータを用いてイメージ３５００が表示され、ユーザが機能選択領域２０００の機能設定メニューを変更する毎に、イメージ３５００が変更されてプレビュー領域３０００に表示される（プレビューの表示が変更）。
【０１９４】
ドキュメントファイリングモード初期画面７５００のアクションパネル領域４０００には、ドキュメントファイリング操作についての補助・助言・提案についての情報が表示されている。ここでは、図１０に示すように、このユーザが選択したドキュメントファイリングモードにおけるおすすめ機能が表示される。このとき、アクションパネル領域４０００は、表示されている情報の内容を示すエリア４５００、それ自体がソフトウェアボタンとしておすすめ機能をテキスト表示するエリア４５０２〜エリア４５０６が配置されている。
【０１９５】
ドキュメントファイリングモード初期画面７５００のタスクトリガー領域５０００には、実行ボタン群５５００が表示される。この実行ボタン群５５００として、原稿を印刷するように画像形成装置１００を作動させる印刷スタートキー（ソフトウェアボタン）５５０２、印刷後にファイルをハードディスク３０２から消去するためのチェックボックス５５０４が配置されている。
【０１９６】
このように、５つの領域に分割して情報が表示されたドキュメントファイリングモード初期画面７５００において、ユーザが要求を入力すると（Ｓ１０１４０にてＹＥＳ）、その要求に従ってドキュメントファイリング処理が実行される（Ｓ１０１５０）。
【０１９７】
−コピーモードにおける動作−
【０１９８】
以下においては、動作モードがコピーモードである場合について説明するが、他の動作モード（上述したようにスキャンを必要とするメールモード、ＦＡＸモードおよびドキュメントファイリングモード）においても同じように動作する。なお、以下においては、プレビュー領域３０００が最も大きく表示されるアイコンモードで機能選択領域２０００が表示されるものとして説明する。なお、図７に示す、機能選択領域２０００がレギュラーモードで表示されたコピーモードの初期画面において、アイコンモード移行ボタン２０１２がタッチ操作、タップ操作またはダブルタップ操作されると、レギュラーモードでタッチパネルディスプレイ１３０に表示された機能選択領域２０００の初期画面が、アイコンモードで表示された初期画面へ遷移する。これ以外にも、プレビュー領域３０００の表示モードが第１のバーチャルモード、第２のバーチャルモードまたはスキャンインモードへ移行することをＣＰＵ３００が検出すると、アイコンモード以外からアイコンモードへ移行するようにしても構わない。
【０１９９】
・第１のバーチャルモードでのプレビュー表示動作
スキャン動作が行なわれる場合であって（Ｓ１００７０にてＹＥＳ）、原稿読取部１０２の原稿載置台に原稿がセットされるまでは（Ｓ１００８０にてＮＯ）、タッチパネルディスプレイ１３０に第１のバーチャルモードでプレビューが表示される（Ｓ１０１１０）。このときのタッチパネルディスプレイ１３０の表示例を図１１に示す。
【０２００】
図１１に示すように、プレビュー領域３０００には、現在選択されている用紙カセット２４０にセットされている用紙の種類を示すプレビューが表示されている。用紙の大きさおよび方向を示すプレビュー３１１０と、セットされている用紙のテキスト表示部３１１０Ａとが表示されている。
【０２０１】
このような状態で、ユーザが集約機能（２ｉｎ１）とステープル機能とを設定すると（Ｓ１０１４０にてＹＥＳ、Ｓ１０１５０）、タッチパネルディスプレイ１３０の表示が図１２に示す画面に切り換わる。この図１２に示すように、ユーザにより設定された機能に応じたプレビュー３１１２が表示される。なお、図１２のプレビュー３１１２における「１」および「２」は、スキャンされた画像データではなく、ページを示すデフォルトの文字データである。
【０２０２】
このようにして、原稿読取部１０２の原稿載置台に原稿がセットされるまでは、（ダミーデータも用いないで）、選択されている用紙カセットに基づいたプレビューおよびユーザにより設定された機能に応じたプレビューが表示される。最も簡易的に仕上がり状態を確認することができる。
【０２０３】
・第２のバーチャルモードでのプレビュー表示動作（その１：集約）
スキャン動作が行なわれる場合であって（Ｓ１００７０にてＹＥＳ）、原稿読取部１０２の原稿載置台に原稿がセットされたがスキャンされるまでは（Ｓ１００８０にてＹＥＳ、Ｓ１０１００にてＮＯ）、タッチパネルディスプレイ１３０に第２のバーチャルモードでプレビューが表示される（Ｓ１０１２０）。このときのタッチパネルディスプレイ１３０の表示例を図１３に示す。
【０２０４】
図１３に示すように、プレビュー領域３０００には、原稿載置台にセットされた原稿の大きさおよび方向を検出してその大きさおよび方向に対応したダミーデータを用いたプレビューが表示されている。「ＡＢＣ  １」、棒グラフおよび円グラフからなるダミーデータを用いたプレビュー３１２０が表示されている。なお、「ＡＢＣ  １」等は、スキャンされた画像データではなく、予めハードディスク３０２等に記憶されたダミーデータに基づく表示である。
【０２０５】
原稿読取部１０２の原稿載置台に原稿をセットすると、図１１または図１２に示す第１のバーチャルモードで表示されたプレビューが、図１３に示す第２のバーチャルモードで表示されたプレビューへ変化する。このため、原稿が設置されたことを画像形成装置１００のＣＰＵ３００が検出したことを、ユーザは確認することができる。
【０２０６】
このような状態で、ユーザが集約機能（２ｉｎ１）とステープル機能とを設定すると（Ｓ１０１４０にてＹＥＳ、Ｓ１０１５０）、タッチパネルディスプレイ１３０の表示が図１４に示す画面に切り換わる。この図１４に示すように、ユーザにより設定された機能に応じたプレビュー３１２２が表示される。なお、図１４のプレビュー３１２２における「ＡＢＣ  ２」等も、スキャンされた画像データではなく、予めハードディスク３０２等に記憶されたダミーデータである。
【０２０７】
このようにして、原稿読取部１０２の原稿載置台に原稿がセットされてスキャンされるまでは、ダミーデータを用いたプレビューおよびユーザにより設定された機能に応じたプレビューが表示される。ダミーデータを用いているものの、全体の仕上がり状態を簡易に確認することができる。
【０２０８】
・第２のバーチャルモードでのプレビュー表示動作（その２：両面）
図１３に示す状態で、ユーザが両面機能を設定すると（Ｓ１０１４０にてＹＥＳ、Ｓ１０１５０）、タッチパネルディスプレイ１３０の表示が図１５に示す画面に切り換わる。この図１５に示すように、ユーザにより設定された機能に応じたプレビュー３１２４が表示される。このとき、図１５に示すように、プレビュー３１２４とともに、裏面をプレビュー表示させるためのページ送りボタン３１２４Ａおよび表示しているページを示す表示バー３１２４Ｂが表示される。
【０２０９】
この図１５に示すプレビュー領域３０００に表示されたページ送りボタン３１２４Ａをタッチ操作、タップ操作またはダブルタップ操作すると、タッチパネルディスプレイ１３０の表示が図１６に示す画面に切り換わる。この図１６に示すように、ユーザにより設定された機能に応じた裏面のプレビュー３１２６（プレビュー３１２４を表面とする）が表示される。このとき、図１６に示すように、プレビュー３１２６とともに、表面をプレビュー表示させるためのページ戻しボタン３１２６Ａおよび表示しているページを示す表示バー３１２６Ｂが表示される。
【０２１０】
なお、プレビュー３１２４またはプレビュー３１２６をフリック操作することにより、ページ送りまたはページ戻しされるようにしても構わない。さらに、表示バー３１２４Ａまたは表示バー３１２６Ａの非表示側をタッチ操作することにより、非表示ページを表示するようにしても構わない。
【０２１１】
このようにして、原稿読取部１０２の原稿載置台に原稿がセットされてスキャンされるまでは、ダミーデータを用いたプレビューおよびユーザにより設定された機能に応じたプレビューが表示される。ダミーデータを用いているものの、全体の仕上がり状態（表裏）を簡易に確認することができる。
【０２１２】
・第２のバーチャルモードでのプレビュー表示動作（その３：書籍）
スキャン動作が行なわれる場合であって（Ｓ１００７０にてＹＥＳ）、原稿読取部１０２の原稿載置台に見開いた書籍または厚みのある原稿（以下、これらをまとめて書籍と記載）がセットされたがスキャンされるまでは（Ｓ１００８０にてＹＥＳ、Ｓ１０１００にてＮＯ）、タッチパネルディスプレイ１３０に第２のバーチャルモードでプレビューが表示される（Ｓ１０１２０）。このときのタッチパネルディスプレイ１３０の表示例を図１７に示す。
【０２１３】
図１７に示すように、プレビュー領域３０００には、原稿載置台にセットされた書籍の大きさおよび方向を検出してその大きさおよび方向に対応したダミーデータを用いたプレビューが表示されている。「ＡＢＣ  １」、棒グラフおよび円グラフからなるダミーデータを用いたプレビュー３１２８が表示されている。
【０２１４】
このとき、セットされた原稿が書籍であり厚みがあって原稿カバーが閉じられないとする。このように原稿カバーが閉じられていないことをＣＰＵ３００が検出して、このプレビュー３１２８に、周囲の影３１２８Ａが表示される。また、このとき、アクションパネル領域４０００のエリア４１０８に、おすすめ機能として枠消去が表示される。原稿読取部１０２の原稿載置台に書籍をセットすると、図１７に示す第２のバーチャルモードで表示された、影３１２８Ａが付いたプレビュー３１２８が表示されるとともに、おすすめ機能として枠消去機能が表示される。
【０２１５】
このような状態で、ユーザが枠消去機能を設定すると（Ｓ１０１４０にてＹＥＳ、Ｓ１０１５０）、タッチパネルディスプレイ１３０の表示が図１８に示す画面に切り換わる。この図１８に示すように、ユーザにより設定された機能に応じたプレビュー３１３０が表示される。図１８に示すプレビュー３１３０は、図１７に示すプレビュー３１２８から影３１２８Ａを削除したものである。
【０２１６】
このようにして、原稿読取部１０２の原稿載置台に原稿がセットされてスキャンされるまでは、ダミーデータを用いたプレビューおよびユーザにより設定された機能に応じたプレビューが表示される。特に、書籍を見開いた状態でコピーすると判定されると（原稿がセットされたのに原稿カバーが閉じられない場合）、ダミーデータを用いたプレビューに影が付されるとともに枠消去機能がおすすめ機能としてアクションパネル領域４０００に表示される。
【０２１７】
・スキャンインモードでのプレビュー表示動作
スキャン動作が行なわれる場合であって（Ｓ１００７０にてＹＥＳ）、原稿読取部１０２の原稿載置台に原稿がセットされてスキャンされると（Ｓ１００８０にてＹＥＳ、Ｓ１０１００にてＹＥＳ）、タッチパネルディスプレイ１３０にスキャンインモードでプレビューが表示される（Ｓ１０１３０）。このときのタッチパネルディスプレイ１３０の表示例を図１９に示す。
【０２１８】
図１９に示すように、プレビュー領域３０００には、原稿載置台にセットされてスキャンされた原稿の画像データを用いたプレビューが表示されている。「総合カタログ」等と記されたスキャンデータを用いたプレビュー３１４０が表示されている。なお、プレビュー３１４０は、スキャンされた画像データに基づくものであって、ダミーデータではない。
【０２１９】
原稿読取部１０２の原稿載置台に原稿をセットしてタスクトリガー領域５０００のスキャンインキー５１０２を押下すると、図１３に示す第２のバーチャルモードで表示されたプレビューが、図１９に示すスキャンインモードで表示されたプレビューへ変化する。このため、原稿がスキャンされたことを画像形成装置１００のＣＰＵ３００が検出したことを、ユーザは確認することができる。
【０２２０】
このような状態で、ユーザが集約機能（２ｉｎ１）とパンチ機能およびステープル機能とを設定すると（Ｓ１０１４０にてＹＥＳ、Ｓ１０１５０）、タッチパネルディスプレイ１３０の表示が図２０に示す画面に切り換わる。この図２０に示すように、ユーザにより設定された機能に応じたプレビュー３１４２が表示される。なお、このプレビュー３１４２におけるステープル３１４２Ｂの位置は、説明の都合上、故意に誤った位置で設定している。
【０２２１】
この図２０を見たユーザは、パンチ穴３１４１Ａの位置が原稿の情報に重なっていること、および、ステープル３１４２Ｂの位置が誤っていることに、気付く。このため、用紙に印刷する前にミスコピーとなることをユーザが知ることができるので、消耗品（トナーおよび記録用紙、ステープル）を無駄に使用するという問題を回避できる。このようなミスコピーがないことを確認したユーザは、スキャン処理を要求する場合に使用したスキャンインキー５１０２を再度押下して、コピーを実行する。すなわち、スキャンインキー５１０２は、スキャン処理を要求する場合にも画像形成処理を要求する場合にも使用される。
【０２２２】
このようにして、原稿読取部１０２の原稿載置台に原稿がセットされてスキャンされると、スキャンデータを用いたプレビューおよびユーザにより設定された機能に応じたプレビューが表示されて、仕上がり状態をより詳細に確認できる。
【０２２３】
なお、上述したように、実際にスキャンされた原稿の画像データが用いられてプレビューが表示されるスキャンインモードにおいては、余白が少ないのにパンチ穴またはステープルを設定することにより原稿の一部が見えなくなる、または、パンチ穴とステープルとの位置関係が誤っておりパンチ穴を用いてファイリングするとコピー原稿を開くことができなくなるというエラーをプレビューで具体的に確認できる。これに加えて、画像編集機能における、枠消去、ユーザスタンプ、日付け等を指定した場合の仕上がり状態を確認することができる。その結果、バーチャルモードによる確認では気付かないミスコピーを回避することができる。
【０２２４】
・バーチャルモードで設定した機能のスキャンインモードへの反映動作
上述したように、図２０に示すプレビュー３１４２は、図１９に示すスキャンインモードで、ユーザが集約機能（２ｉｎ１）とステープル機能とを設定すると、タッチパネルディスプレイ１３０に表示されると説明した。しかしながら、第１のバーチャルモードまたは第２のバーチャルモードにおいて、ユーザが集約機能（２ｉｎ１）とステープル機能とを設定しておいて、原稿読取部１０２の原稿載置台に原稿をセットしてタスクトリガー領域５０００のスキャンインキー５１０２を押下しても、バーチャルモードで設定された機能は引き継がれる。図１２に示す状態または図１４に示す状態でさらにパンチ機能を設定して、スキャンインキー５１０２を押下すると、図２０に示すプレビューが表示される（ただし、説明の都合上、ステープルの位置は異なっている）。
【０２２５】
このように、スキャンインモード以外の表示モードで設定した機能は、スキャンインモードでのプレビュー表示に反映される。
【０２２６】
［効果］
以上のようにして、本実施の形態に係る画像形成装置においては、動作モードを切り換えることによりタッチパネルディスプレイに異なる初期画面が表示される。この場合において、タッチパネルディスプレイは複数の表示領域に分割された基本レイアウトに従って、分割された各領域に概念が共通する情報が表示される。この基本レイアウトの５つの領域（システム領域、機能選択領域、プレビュー領域、アクションパネル領域、タスクトリガー領域）の中のプレビュー領域は、３つの表示モードを備え、スキャン処理の進行度合いに応じて（スキャン前はスキャンデータを用いたプレビューを表示できない）、適切なプレビューを表示することができる。このため、ユーザは、自己が考える原稿の重要度合いに鑑みて、適切な表示モードのプレビューで仕上がりを確認することができる。たとえば、配布先に会社の取締役等を含む場合には（重要度が高い）、スキャンインモードで仕上がり状態を確認して、確実にミスコピーを排除し、そうではない場合には、バーチャルモードで仕上がり状態を確認する。
【０２２７】
［変形例］
本実施の形態にかかる画像形成装置１００のＰＣＵ３００は、以下のようにスキャン処理を実行するものであっても構わない。
【０２２８】
スキャンインキー５１０２を押下する前に、スキャンの解像度（デフォルトは低解像度／中解像度／高解像度の中の中解像度）、両面スキャン／片面スキャン（デフォルトは片面スキャン）を設定して、モノクロスキャンであればモノクロスタートキー５１０６を押下して、カラースキャンであればカラースタートキー５１０８を押下する。このようなユーザの設定（デフォルトを含む）とは別に、ＣＰＵ３００は、最も高機能（高解像、両面、カラー）で、スキャン処理を実行する。
【０２２９】
すなわち、ユーザの設定に関わらず、ＣＰＵ３００は、カラーの高解像度で両面スキャンして、ハードディスク３０２等に画像データを記憶させる。この後において、印刷する前にプレビュー領域３０００にプレビューを表示する。このときに、ユーザにより、低解像度が高解像度へ変更されても、片面スキャンが両面スキャンへ変更されても、モノクロコピーがカラーコピーへ変更されても、ハードディスク３０２に記憶されている画像データは、カラーの高解像度で原稿の両面をスキャンしたデータであるので、再スキャンする必要がない。このように、実際の印刷処理とユーザが当初想定していた処理とに差が発生したとしても、画像形成装置１００が自動的にリカバリーするので、再スキャンする必要がない。
【０２３０】
なお、高解像で記憶されたスキャンデータを用いて低解像で印刷したり送信したりする場合、カラーモードで記憶されたスキャンデータを用いてモノクロモードで印刷したり送信したりする場合、両面スキャンで記憶されたスキャンデータを用いて片面のみを印刷したり送信したりする場合には、それぞれ、ユーザにより要求された仕様を満足するように、画像データが変換される。
【０２３１】
今回開示された実施の形態は単に例示であって、本発明が上述した実施の形態のみに限定されるわけではない。本発明の範囲は、発明の詳細な説明の記載を参酌した上で、特許請求の範囲の各請求項によって示され、そこに記載された文言と均等の意味および範囲内でのすべての変更を含む。
【符号の説明】
【０２３２】
１００  画像形成装置
１２０  操作ユニット
１３０  タッチパネルディスプレイ
１３２  表示パネル
１３４  タッチパネル
１４０  表示操作部
１４２  表示灯
１４４  電源キー
１４６  省エネキー
１４８  ホームキー
３００  ＣＰＵ
３０２  ハードディスク
３０４  ネットワークインターフェイス
３０６  ＲＯＭ
３０８  ＲＡＭ
３１０  バス
【図１】
2011164836.tif 000003
【図２】
2011164836.tif 000004
【図３】
2011164836.tif 000005
【図４】
2011164836.tif 000006
【図５】
2011164836.tif 000007
【図６】
2011164836.tif 000008
【図７】
2011164836.tif 000009
【図８】
2011164836.tif 000010
【図９】
2011164836.tif 000011
【図１０】
2011164836.tif 000012
【図１１】
2011164836.tif 000013
【図１２】
2011164836.tif 000014
【図１３】
2011164836.tif 000015
【図１４】
2011164836.tif 000016
【図１５】
2011164836.tif 000017
【図１６】
2011164836.tif 000018
【図１７】
2011164836.tif 000019
【図１８】
2011164836.tif 000020
【図１９】
2011164836.tif 000021
【図２０】
2011164836.tif 000022